(57)【特許請求の範囲】
【請求項１】
交流回路と直流回路との間で電力変換を行なう自励式電力変換器と、
前記自励式電力変換器に含まれるスイッチング素子のスイッチング動作を制御する制御装置とを備え、
前記制御装置は、前記自励式電力変換器に対する制御指令値が第１閾値以上になった場合に、前記スイッチング素子のスイッチング周波数を増大させる第１制御を実行し、
前記制御指令値は、有効電力指令値、皮相電力指令値、または交流電流指令値である、電力変換装置。
【請求項２】
前記第１制御が実行された後、前記制御指令値が前記第１閾値未満となった場合に、前記制御装置は、増大させた前記スイッチング素子のスイッチング周波数を低下させる第２制御を実行する、請求項１に記載の電力変換装置。
【請求項３】
前記第１制御が実行された後、前記制御指令値が前記第１閾値よりも小さい第２閾値未満となった場合に、前記制御装置は、増大させた前記スイッチング素子のスイッチング周波数を低下させる第２制御を実行する、請求項１に記載の電力変換装置。
【請求項４】
前記制御装置は、前記制御指令値が前記第１閾値以上となってから第１の時間が経過するまでは、前記第１制御を実行する、請求項１に記載の電力変換装置。
【請求項５】
前記制御装置は、
前記制御指令値が第１閾値以上になってから第１の時間が経過するまでは、前記第１制御を実行し、
前記制御指令値が前記第１閾値以上になってから前記第１の時間が経過したときに、前記制御指令値が前記第１閾値未満である場合、前記第１制御に従って増大させた前記スイッチング素子のスイッチング周波数を低下させる第２制御を実行する、請求項１に記載の電力変換装置。
【請求項６】
前記第１制御は、前記制御指令値と前記第１閾値との差分に基づいて、前記スイッチング素子のスイッチング周波数を増大させることを含む、請求項１〜請求項５のいずれか１項に記載の電力変換装置。
【請求項７】
交流回路と直流回路との間で電力変換を行なう自励式電力変換器と、
前記自励式電力変換器に含まれるスイッチング素子のスイッチング動作を制御する制御装置とを備え、
前記自励式電力変換器は、複数のレグ回路を含み、
各前記レグ回路は、互いにカスケード接続された複数の変換器セルを含み、各前記変換器セルは、キャパシタと前記スイッチング素子とを含み、
前記制御装置は、
前記複数のレグ回路間を循環する循環電流が基準値以上の場合、または、各前記キャパシタの電圧平均値の変動幅が基準変動幅以上の場合に、前記スイッチング素子のスイッチング周波数を増大させる制御を実行する、電力変換装置。
【請求項８】
交流回路と直流回路との間で電力変換を行なう自励式電力変換器と、
前記自励式電力変換器に含まれるスイッチング素子のスイッチング動作を制御する制御装置とを備え、
前記制御装置は、
前記交流回路に設けられた系統機器の起動状態、および前記自励式電力変換器の運転モードを指示するための指示情報のうちの少なくとも一方を受信し、
前記系統機器が停止した状態であるとの第１条件、および、前記指示情報に従う前記運転モードが規定のモードであるとの第２条件のうちの少なくとも一方を満たす場合に、前記スイッチング素子のスイッチング周波数を増大させる制御を実行し、
前記規定のモードは、他の電源から電力を受電することなく前記交流回路を停電状態から復旧させるブラックスタートモードと、前記交流回路に電源が接続されておらず、負荷のみが接続されている状態で前記自励式電力変換器を運転させるパッシブ系統モードと、定格値以下で前記自励式電力変換器を運転させるディレーティングモードと、前記自励式電力変換器における逆変換器運転と順変換器運転とを反転させる潮流反転モードとのうちの少なくとも１つを含む、電力変換装置。
【発明の詳細な説明】
【技術分野】
【０００１】
本開示は、電力変換装置に関する。
【背景技術】
【０００２】
電力系統に設置される大容量の電力変換装置として、モジュラーマルチレベル変換器（ＭＭＣ：Modular  Multilevel  Converter）が知られている。複数の単位変換器がカスケード接続されるモジュラーマルチレベル変換器は、単位変換器の数を増加させることによって、高電圧化に容易に対応することができる。「単位変換器」は、「サブモジュール（sub  module）」あるいは「変換器セル」とも称される。【０００３】
特開２０１８−１３３９５０号公報（特許文献１）は、直流電圧と交流電圧との間で双方向に電力を変換可能な電力変換装置を開示している。電力変換装置は、交流電圧の絶対値がしきい値電圧の絶対値以上の場合に、第１周波数を有する第１キャリア信号を出力し、交流電圧の絶対値が第１しきい値電圧の絶対値よりも低い場合に、第１周波数よりも高い第２周波数を有する第２キャリア信号を出力するように構成される。
【先行技術文献】
【特許文献】
【０００４】
【特許文献１】特開２０１８−１３３９５０号公報
【発明の概要】
【発明が解決しようとする課題】
【０００５】
特許文献１では、上記のように、交流電圧の絶対値に応じてキャリア信号の周波数を変更することによりスイッチング動作の周波数を変更して、交流側に地絡が生じた場合であっても電力変換装置の運転を継続することを検討している。しかしながら、特許文献１では、交流側に地絡が生じた場合以外のスイッチング周波数の変更については十分に考慮されておらず、電力変換装置の運転の安定化という点において改善の余地がある。【０００６】
本開示のある局面における目的は、適切なタイミングでスイッチング周波数を増大させることで運転を安定化させることが可能な電力変換装置を提供することである。本開示のその他の目的及び特徴については実施の形態において明らかにする。
【課題を解決するための手段】
【０００７】
ある実施の形態に従う電力変換装置は、交流回路と直流回路との間で電力変換を行なう自励式電力変換器と、自励式電力変換器に含まれるスイッチング素子のスイッチング動作を制御する制御装置とを備える。制御装置は、自励式電力変換器に対する制御指令値が第１閾値以上になった場合に、スイッチング素子のスイッチング周波数を増大させる第１制御を実行する。【０００８】
他の実施の形態に従う電力変換装置は、交流回路と直流回路との間で電力変換を行なう自励式電力変換器と、自励式電力変換器に含まれるスイッチング素子のスイッチング動作を制御する制御装置とを備える。制御装置は、交流回路の電気量に基づいて算出される、電圧または電流に関するパラメータの大きさが基準値以上になった場合に、スイッチング素子のスイッチング周波数を増大させる制御を実行する。【０００９】
さらに他の実施の形態に従う電力変換装置は、交流回路と直流回路との間で電力変換を行なう自励式電力変換器と、自励式電力変換器に含まれるスイッチング素子のスイッチング動作を制御する制御装置とを備える。自励式電力変換器は、複数のレグ回路を含む。各レグ回路は、互いにカスケード接続された複数の変換器セルを含む。各変換器セルは、キャパシタとスイッチング素子とを含む。制御装置は、複数のレグ回路間を循環する循環電流が基準値以上の場合、各キャパシタの電圧平均値の変動幅が基準変動幅以上の場合、または、各キャパシタの電圧の少なくとも１つが閾値範囲外になった場合に、スイッチング素子のスイッチング周波数を増大させる制御を実行する。【００１０】
さらに他の実施の形態に従う電力変換装置は、交流回路と直流回路との間で電力変換を行なう自励式電力変換器と、自励式電力変換器に含まれるスイッチング素子のスイッチング動作を制御する制御装置とを備える。制御装置は、交流回路の系統状態を示す状態情報、および自励式電力変換器の運転モードを指示するための指示情報のうちの少なくとも一方を受信する。状態情報に基づく系統状態が規定の状態であるとの第１条件、および、指示情報に従う運転モードが規定のモードであるとの第２条件のうちの少なくとも一方を満たす場合に、スイッチング素子のスイッチング周波数を増大させる制御を実行する。
【発明の効果】
【００１１】
本開示に係る電力変換装置によれば、適切なタイミングでスイッチング周波数を増大させることで運転を安定化させることができる。
【図面の簡単な説明】
【００１２】
【図１】電力変換装置の概略構成図である。
【図２】変換器セルの構成例を示すブロック図である。
【図３】変換器セルの主回路の変形例を示す回路図である。
【図４】制御装置の全体構成を示すブロック図である。
【図５】制御装置のハードウェア構成の一例を示すブロック図である。
【図６】アーム共通制御器の動作を示すブロック図である。
【図７】アーム共通制御器における交流制御部の動作を説明するための図である。
【図８】アーム共通制御器における直流制御部の動作を説明するための図である。
【図９】ｕ相アーム制御器の動作を示すブロック図である。
【図１０】正側アーム用のセル個別制御器の動作を示すブロック図である。
【図１１】実施の形態１に従う周波数切替部の動作を説明するための図である。
【図１２】実施の形態１の変形例１に従う周波数切替部の動作を説明するための図である。
【図１３】実施の形態１の変形例２に従う周波数切替部の動作を説明するための図である。
【図１４】実施の形態２に従う周波数切替部の機能を説明するための図である。
【図１５】実施の形態３に従う周波数切替部の機能を説明するための図である。
【発明を実施するための形態】
【００１３】
以下、図面を参照しつつ、本実施の形態について説明する。以下の説明では、同一の部品には同一の符号を付してある。それらの名称および機能も同じである。したがって、それらについての詳細な説明は繰り返さない。
【００１４】
実施の形態１．
＜電力変換装置の概略構成＞
図１は、電力変換装置１００の概略構成図である。電力変換装置１００は、例えば、高圧直流送電に用いられる電力変換装置、または周波数変換器における順変換用もしくは逆変換用の電力変換装置を示す。
【００１５】
図１を参照して、電力変換装置１００は、交流回路２と直流回路４との間で電力変換を行なう自励式の電力変換器６と、制御装置５とを含む。典型的には、電力変換器６は、互いに直列接続された複数の変換器セル１を含むＭＭＣ変換方式の電力変換器によって構成される。ただし、電力変換器６は、ＭＭＣ変換方式以外の変換方式であってもよい。電力変換器６は、正側の直流端子（すなわち、高電位側直流端子）Ｎｐと、負側の直流端子（すなわち、低電位側直流端子）Ｎｎとの間に互いに並列に接続された複数のレグ回路８ｕ，８ｖ，８ｗ（以下、総称する場合または任意のものを示す場合、「レグ回路８」と記載する）を含む。
【００１６】
制御装置５は、これらのレグ回路８に含まれるスイッチング素子のスイッチング動作を制御する。詳細は後述するが、制御装置５は、電力変換器６の運転安定化と電力変換効率とを鑑みて、各種条件に従ってスイッチング素子のスイッチング周波数を適宜変更する。
【００１７】
レグ回路８は、多相交流の各相ごとに設けられ、交流回路２と直流回路４との間に接続され、両回路間で電力変換を行なう。図１には交流回路２が三相交流の場合が示されており、ｕ相、ｖ相、ｗ相にそれぞれ対応して３個のレグ回路８ｕ，８ｖ，８ｗが設けられる。なお、交流回路２が単相交流の場合には、２個のレグ回路が設けられる。
【００１８】
レグ回路８ｕ，８ｖ，８ｗにそれぞれ設けられた交流端子Ｎｕ，Ｎｖ，Ｎｗは、変圧器３を介して交流回路２に接続される。交流回路２は、例えば、交流電源などを含む交流電力系統である。図１では、図解を容易にするために、交流端子Ｎｖ，Ｎｗと変圧器３との接続は図示していない。各レグ回路８に共通に設けられた直流端子（すなわち、正側直流端子Ｎｐ，負側直流端子Ｎｎ）は、直流回路４に接続される。直流回路４は、例えば、直流送電網および直流出力を行なう他の電力変換装置などを含む直流電力系統である。
【００１９】
図１の変圧器３を用いる代わりに、レグ回路８ｕ，８ｖ，８ｗは、連系リアクトルを介して交流回路２に接続した構成としてもよい。さらに、交流端子Ｎｕ，Ｎｖ，Ｎｗに代えてレグ回路８ｕ，８ｖ，８ｗにそれぞれ一次巻線を設け、この一次巻線と磁気結合する二次巻線を介してレグ回路８ｕ，８ｖ，８ｗが変圧器３または連系リアクトルに交流的に接続するようにしてもよい。この場合、一次巻線を下記のリアクトル７ａ，７ｂとしてもよい。すなわち、レグ回路８は、交流端子Ｎｕ，Ｎｖ，Ｎｗまたは上記の一次巻線など、各レグ回路８ｕ，８ｖ，８ｗに設けられた接続部を介して電気的（すなわち、直流的または交流的）に交流回路２に接続される。
【００２０】
レグ回路８ｕは、正側直流端子Ｎｐから交流端子Ｎｕまでの正側アーム１３ｕと、負側直流端子Ｎｎから交流端子Ｎｕまでの負側アーム１４ｕとに区分される。正側アーム１３ｕと負側アーム１４ｕとの接続点が、交流端子Ｎｕとして変圧器３と接続される。正側直流端子Ｎｐおよび負側直流端子Ｎｎが直流回路４に接続される。レグ回路８ｖは正側アーム１３ｖと負側アーム１４ｖとを含み、レグ回路８ｗは正側アーム１３ｗと負側アーム１４ｗとを含む。レグ回路８ｖ，８ｗはレグ回路８ｕと同様の構成を有しているので、以下、レグ回路８ｕを代表として説明する。
【００２１】
レグ回路８ｕにおいて、正側アーム１３ｕは、カスケード接続された複数の変換器セル１と、リアクトル７ａとを含む。複数の変換器セル１とリアクトル７ａとは互いに直列接続されている。負側アーム１４ｕは、カスケード接続された複数の変換器セル１と、リアクトル７ｂとを含む。複数の変換器セル１とリアクトル７ｂとは互いに直列接続されている。
【００２２】
リアクトル７ａが挿入される位置は、正側アーム１３ｕのいずれの位置であってもよく、リアクトル７ｂが挿入される位置は、負側アーム１４ｕのいずれの位置であってもよい。リアクトル７ａ，７ｂはそれぞれ複数個あってもよい。各リアクトルのインダクタンス値は互いに異なっていてもよい。さらに、正側アーム１３ｕのリアクトル７ａのみ、もしくは、負側アーム１４ｕのリアクトル７ｂのみを設けてもよい。
【００２３】
電力変換装置１００は、さらに、交流電圧検出器１０と、交流電流検出器１５と、直流電圧検出器１１ａ，１１ｂと、各レグ回路８に設けられたアーム電流検出器９ａ，９ｂとを含む。これらの検出器は、電力変換装置１００の制御に使用される電気量（すなわち、電流、電圧）を計測する。これらの検出器によって検出された信号は、制御装置５に入力される。
【００２４】
具体的には、交流電圧検出器１０は、交流回路２のｕ相の交流電圧実測値Ｖａｃｕ、ｖ相の交流電圧実測値Ｖａｃｖ、およびｗ相の交流電圧実測値Ｖａｃｗを検出する。交流電流検出器１５は、交流回路２のｕ相、ｖ相、ｗ相にそれぞれ設けられ、各相の交流電流実測値を検出する。直流電圧検出器１１ａは、直流回路４に接続された正側直流端子Ｎｐの直流電圧実測値Ｖｄｃｐを検出する。直流電圧検出器１１ｂは、直流回路４に接続された負側直流端子Ｎｎの直流電圧実測値Ｖｄｃｎを検出する。
【００２５】
ｕ相用のレグ回路８ｕに設けられたアーム電流検出器９ａ，９ｂは、正側アーム１３ｕに流れる正側アーム電流実測値Ｉｕｐおよび負側アーム１４ｕに流れる負側アーム電流実測値Ｉｕｎをそれぞれ検出する。ｖ相用のレグ回路８ｖに設けられたアーム電流検出器９ａ，９ｂは、正側アーム電流実測値Ｉｖｐおよび負側アーム電流実測値Ｉｖｎをそれぞれ検出する。ｗ相用のレグ回路８ｗに設けられたアーム電流検出器９ａ，９ｂは、正側アーム電流実測値Ｉｗｐおよび負側アーム電流実測値Ｉｗｎをそれぞれ検出する。ここで、各正側アーム電流実測値Ｉｕｐ，Ｉｖｐ，Ｉｗｐおよび負側アーム電流実測値Ｉｕｎ，Ｉｖｎ，Ｉｗｎは、正側直流端子Ｎｐから負側直流端子Ｎｎの方向に流れる電流を正とする。
【００２６】
＜変換器セルの構成＞
図２は、変換器セル１の構成例を示すブロック図である。図２を参照して、一例としての変換器セル１は、セル主回路６０Ｈと、セル個別制御器６１と、通信装置６２とを含む。図２では、ハーフブリッジ型のセル主回路６０Ｈの構成が示されている。図３を参照して後述するように、セル主回路６０Ｈに代えて他の構成のブリッジ回路を用いてもよい。
【００２７】
図２に示すように、セル主回路６０Ｈは、互いに直列接続されたスイッチング素子１ａ，１ｂと、ダイオード１ｃ，１ｄと、エネルギー蓄積器としてのキャパシタ１ｅとを含む。ダイオード１ｃ，１ｄは、スイッチング素子１ａ，１ｂとそれぞれ逆並列（すなわち、並列かつ逆バイアス方向）に接続される。キャパシタ１ｅは、スイッチング素子１ａ，１ｂの直列接続回路と並列に接続され、直流電圧を平滑化する。スイッチング素子１ａ，１ｂの接続ノードは正側の入出力端子１ｐと接続され、スイッチング素子１ｂとキャパシタ１ｅの接続ノードは負側の入出力端子１ｎと接続される。
【００２８】
セル主回路６０Ｈにおいて、スイッチング素子１ａ，１ｂは、一方がオン状態となり他方がオフ状態となるように制御される。スイッチング素子１ａがオン状態であり、スイッチング素子１ｂがオフ状態のとき、入出力端子１ｐ，１ｎ間にはキャパシタ１ｅの両端間の電圧が印加される。この場合、入出力端子１ｐが正側電圧となり、入出力端子１ｎが負側電圧となる。一方、スイッチング素子１ａがオフ状態であり、スイッチング素子１ｂがオン状態のとき、入出力端子１ｐ，１ｎ間は０Ｖとなる。このように、セル主回路６０Ｈは、スイッチング素子１ａ，１ｂを交互にオン状態とすることによって、零電圧または正電圧を出力できる。正電圧の大きさは、キャパシタ１ｅの電圧に依存する。ダイオード１ｃ，１ｄは、スイッチング素子１ａ，１ｂに逆方向電圧が印加されたときの保護のために設けられている。
【００２９】
セル個別制御器６１は、制御装置５から受信したアーム電圧指令値および循環電圧指令値に基づいて、セル主回路６０Ｈに設けられたスイッチング素子１ａ，１ｂのオンおよびオフを制御する。具体的には、セル個別制御器６１は、スイッチング素子１ａ，１ｂの制御電極にゲート制御信号Ｇａ，Ｇｂをそれぞれ出力する。
【００３０】
さらに、セル個別制御器６１は、キャパシタ１ｅの電圧値（すなわち、キャパシタ電圧実測値）を検出し、検出した電圧値をＡ／Ｄ（Analog  to  Digital）変換する。セル個別制御器６１は、検出したキャパシタ電圧実測値Ｖｃｉをキャパシタ１ｅの電圧制御に用いる。さらに、セル個別制御器６１は、検出したキャパシタ電圧実測値Ｖｃｉを、通信装置６２によって制御装置５に送信する。
【００３１】
通信装置６２は、制御装置５に設けられた通信回路と通信を行なうことにより、制御装置５からアーム電圧指令値および循環電圧指令値を受信する。さらに、通信装置６２は、セル個別制御器６１によって検出されたＡ／Ｄ変換後のキャパシタ電圧実測値Ｖｃｉを制御装置５に送信する。通信装置６２と制御装置５との間の通信方式には、耐ノイズ性の観点ならびに絶縁性の観点から光通信方式を用いるのが望ましい。
【００３２】
図３は、変換器セル１の主回路の変形例を示す回路図である。図３（ａ）に示す変換器セル１は、フルブリッジ型のセル主回路６０Ｆを含む。セル主回路６０Ｆは、直列接続されたスイッチング素子１ｆ，１ｇと、スイッチング素子１ｆ，１ｇに逆並列にそれぞれ接続されたダイオード１ｈ，１ｉとをさらに含む点で、図３（ａ）のセル主回路６０Ｈと異なる。スイッチング素子１ｆ，１ｇの直列接続回路は、スイッチング素子１ａ，１ｂの直列接続回路と並列に接続されるとともに、キャパシタ１ｅと並列に接続される。入出力端子１ｐは、スイッチング素子１ａ，１ｂの接続ノードと接続され、入出力端子１ｎは、スイッチング素子１ｆ，１ｇの接続ノードと接続される。
【００３３】
図３（ａ）に示すセル主回路６０Ｆは、通常動作時には、スイッチング素子１ｇをオンとし、スイッチング素子１ｆをオフとし、スイッチング素子１ａ，１ｂを交互にオン状態とするように制御される。これにより、セル主回路６０Ｆは、入出力端子１ｐ，１ｎ間に零電圧または正電圧を出力できる。また、セル主回路６０Ｆは、通常動作時と異なる制御によって、入出力端子１ｐ，１ｎ間に零電圧または負電圧を出力できる。具体的には、スイッチング素子１ｇをオフし、スイッチング素子１ｆをオンし、スイッチング素子１ａ，１ｂを交互にオン状態にすることによって、零電圧または負電圧を出力できる。
【００３４】
図３（ｂ）に示す変換器セル１は、混合型のセル主回路６０Ｈｙｂを含む。セル主回路６０Ｈｙｂは、図３（ａ）のセル主回路６０Ｆからスイッチング素子１ｆを除去した構成を有する。図３（ｂ）のセル主回路６０Ｈｙｂは、通常動作時には、スイッチング素子１ｇをオンとし、スイッチング素子１ａ，１ｂを交互にオン状態とするように制御される。これにより、セル主回路６０Ｈｙｂは、入出力端子１ｐ，１ｎ間に零電圧または正電圧を出力できる。一方、セル主回路６０Ｈｙｂは、スイッチング素子１ａ，１ｇをオフし、スイッチング素子１ｂをオンし、かつ電流が入出力端子１ｎから入出力端子１ｐの方向に流れる場合には、負電圧を出力できる。
【００３５】
図２、図３（ａ）、および図３（ｂ）に示す各スイッチング素子１ａ，１ｂ，１ｆ，１ｇには、オン動作とオフ動作の両方を制御可能な自己消弧型の半導体スイッチング素子が用いられる。例えば、ＩＧＢＴ（Insulated  Gate  Bipolar  Transistor）またはＧＣＴ（Gate  Commutated  Turn-off  thyristor）などがスイッチング素子１ａ，１ｂ，１ｆ，１ｇとして用いられる。
【００３６】
以下では、セル主回路６０Ｈ，６０Ｆ，６０Ｈｙｂを総称してセル主回路６０と記載する場合がある。変換器セル１を構成するセル主回路６０は、図２、図３（ａ）、および図３（ｂ）に示す以外の構成であってもよい。なお、説明の容易化のため、以下では、変換器セル１が、図２のセル主回路６０Ｈの構成を有する場合を例に説明する。
【００３７】
＜制御装置の全体構成＞
図４は、制御装置５の全体構成を示すブロック図である。図４には、各変換器セル１に設けられたセル主回路（図４中の「主回路」に対応）６０およびセル個別制御器（図４中の「個別制御器」に対応）６１も併せて示されている。なお、図解を容易にするために通信装置６２の図示は省略されている。
【００３８】
図４を参照して、制御装置５は、アーム共通制御器２０と、ｕ相アーム制御器４０ｕと、ｖ相アーム制御器４０ｖと、ｗ相アーム制御器４０ｗとを含む。
【００３９】
アーム共通制御器２０は、アーム電流実測値および交流電圧実測値に基づいて、ｕ相，ｖ相，ｗ相の交流電圧指令値Ｖａｃｕｒｅｆ，Ｖａｃｖｒｅｆ，Ｖａｃｗｒｅｆを生成する。さらに、アーム共通制御器２０は、直流電圧指令値Ｖｄｃｒｅｆを出力する。さらに、アーム共通制御器２０は、各変換器セル１のキャパシタ電圧実測値Ｖｃｉからキャパシタ電圧の平均値であるＶｃｉａｖを生成する。
【００４０】
ｕ相アーム制御器４０ｕは、アーム共通制御器２０から受信した交流電圧指令値Ｖａｃｕｒｅｆおよび直流電圧指令値Ｖｄｃｒｅｆに基づいて、ｕ相アーム電圧指令値を生成する。ｕ相アーム電圧指令値は、正側アーム１３ｕに出力する正側アーム電圧指令値Ｖｕｐｒｅｆと、負側アーム１４ｕに出力する負側アーム電圧指令値Ｖｕｎｒｅｆとを含む。
【００４１】
ｕ相アーム制御器４０ｕは、さらに、アーム共通制御器２０から受信したキャパシタ電圧平均値Ｖｃｉａｖと現時点のｕ相循環電流値とに基づいて、循環電圧指令値Ｖｃｃｕｒｅｆを生成する。循環電圧指令値Ｖｃｃｕｒｅｆは、ｕ相の循環電流を制御するために正側アーム１３ｕおよび負側アーム１４ｕの各変換器セル１に共通に出力される電圧指令値である。
【００４２】
ｕ相アーム制御器４０ｕは、さらに、正側アーム１３ｕの各セル個別制御器６１に、正側キャパシタ電圧平均値Ｖｃｕｐを出力する。また、ｕ相アーム制御器４０ｕは、負側アーム１４ｕの各セル個別制御器６１に、負側キャパシタ電圧平均値Ｖｃｕｎを出力する。
【００４３】
ｖ相アーム制御器４０ｖは、交流電圧指令値Ｖａｃｖｒｅｆおよび直流電圧指令値Ｖｄｃｒｅｆに基づいてｖ相アーム電圧指令値を生成する。ｖ相アーム電圧指令値は、正側アーム１３ｖに出力する正側アーム電圧指令値Ｖｖｐｒｅｆと、負側アーム１４ｖに出力する負側アーム電圧指令値Ｖｖｎｒｅｆとを含む。ｖ相アーム制御器４０ｖは、さらに、アーム共通制御器２０から受信したキャパシタ電圧平均値Ｖｃｉａｖと現時点のｖ相循環電流値とに基づいて、循環電圧指令値Ｖｃｃｖｒｅｆを生成する。循環電圧指令値Ｖｃｃｖｒｅｆは、ｖ相の循環電流を制御するために正側アーム１３ｖおよび負側アーム１４ｖの各変換器セル１に共通に出力される電圧指令値である。ｖ相アーム制御器４０ｖは、さらに、正側アーム１３ｖの各セル個別制御器６１に、正側キャパシタ電圧平均値Ｖｃｖｐを出力する。また、ｖ相アーム制御器４０ｖは、負側アーム１４ｖの各セル個別制御器６１に、負側キャパシタ電圧平均値Ｖｃｖｎを出力する。
【００４４】
ｗ相アーム制御器４０ｗは、交流電圧指令値Ｖａｃｗｒｅｆおよび直流電圧指令値Ｖｄｃｒｅｆに基づいてｗ相アーム電圧指令値を生成する。ｗ相アーム電圧指令値は、正側アーム１３ｗに出力する正側アーム電圧指令値Ｖｗｐｒｅｆと、負側アーム１４ｗに出力する負側アーム電圧指令値Ｖｗｎｒｅｆとを含む。ｗ相アーム制御器４０ｗは、さらに、アーム共通制御器２０から受信したキャパシタ電圧平均値Ｖｃｉａｖと現時点のｗ相循環電流値とに基づいて、循環電圧指令値Ｖｃｃｗｒｅｆを生成する。循環電圧指令値Ｖｃｃｗｒｅｆは、ｗ相の循環電流を制御するために正側アーム１３ｗおよび負側アーム１４ｗの各変換器セル１に共通に出力される電圧指令値である。ｗ相アーム制御器４０ｗは、さらに、正側アーム１３ｗの各セル個別制御器６１に、正側キャパシタ電圧平均値Ｖｃｗｐを出力する。また、ｗ相アーム制御器４０ｗは、負側アーム１４ｗの各セル個別制御器６１に、負側キャパシタ電圧平均値Ｖｃｗｎを出力する。
【００４５】
各相のアーム制御器４０ｕ，４０ｖ，４０ｗは、対応する変換器セル１のセル個別制御器６１へ、光通信路を介してアーム電圧指令値、循環電圧指令値、およびキャパシタ電圧平均値を送信する。
【００４６】
＜制御装置のハードウェア構成例＞
図５は、制御装置５のハードウェア構成の一例を示すブロック図である。図５の場合の制御装置５は、コンピュータに基づいて構成される。図５を参照して、制御装置５は、１つ以上の入力変換器７０と、１つ以上のサンプルホールド（Ｓ／Ｈ）回路７１と、マルチプレクサ（ＭＵＸ：multiplexer）７２と、Ａ／Ｄ変換器７３とを含む。さらに、制御装置５は、１つ以上のＣＰＵ（Central  Processing  Unit）７４と、ＲＡＭ（Random  Access  Memory）７５と、ＲＯＭ（Read  Only  Memory）７６とを含む。さらに、制御装置５は、１つ以上の入出力インターフェイス７７と、補助記憶装置７８と、上記の構成要素間を相互に接続するバス７９とを含む。
【００４７】
入力変換器７０は、入力チャンネルごとに補助変成器を備える。各補助変成器は、図１の各電気量検出器による検出信号を、後続する信号処理に適した電圧レベルの信号に変換する。
【００４８】
サンプルホールド回路７１は、入力変換器７０ごとに設けられる。サンプルホールド回路７１は、対応の入力変換器７０から受けた電気量を表す信号を規定のサンプリング周波数でサンプリングして保持する。
【００４９】
マルチプレクサ７２は、複数のサンプルホールド回路７１に保持された信号を順次選択する。Ａ／Ｄ変換器７３は、マルチプレクサ７２によって選択された信号をデジタル値に変換する。なお、複数のＡ／Ｄ変換器７３を設けることによって、複数の入力チャンネルの検出信号に対して並列的にＡ／Ｄ変換を実行するようにしてもよい。
【００５０】
ＣＰＵ７４は、制御装置５の全体を制御し、プログラムに従って演算処理を実行する。揮発性メモリとしてのＲＡＭ７５および不揮発性メモリとしてのＲＯＭ７６は、ＣＰＵ７４の主記憶として用いられる。ＲＯＭ７６は、プログラムおよび信号処理用の設定値などを収納する。補助記憶装置７８は、ＲＯＭ７６に比べて大容量の不揮発性メモリであり、プログラムおよび電気量検出値のデータなどを格納する。
【００５１】
入出力インターフェイス７７は、ＣＰＵ７４と外部装置との間で通信する際のインターフェイス回路である。
【００５２】
なお、制御装置５の少なくとも一部をＦＰＧＡ（Field  Programmable  Gate  Array）およびＡＳＩＣ（Application  Specific  Integrated  Circuit）などの回路を用いて構成してもよい。また、各変換器セル用のセル個別制御器６１も、制御装置５の場合と同様にコンピュータをベースに構成することもできるし、その少なくとも一部をＦＰＧＡおよびＡＳＩＣなどの回路を用いて構成することができる。もしくは、制御装置５の少なくとも一部およびセル個別制御器６１の少なくとも一部は、アナログ回路によって構成することもできる。
【００５３】
＜アーム共通制御器の動作＞
（概要）
図６は、アーム共通制御器２０の動作を示すブロック図である。図６を参照して、アーム共通制御器２０は、交流制御部３５と、直流制御部３６と、電流演算器２１と、平均値演算器２２とを含む。これらの構成要素の機能は、例えば、ＣＰＵ７４によって実現される。
【００５４】
交流制御部３５は、交流電圧検出器１０で検出された交流電圧実測値Ｖａｃｕ，Ｖａｃｖ，Ｖａｃｗと、交流電流検出器１５で検出された交流電流実測値と、電流演算器２１で演算された交流電流値Ｉａｃｕ，Ｉａｃｖ，Ｉａｃｗとに基づいて、交流電圧指令値Ｖａｃｕｒｅｆ，Ｖａｃｖｒｅｆ，Ｖａｃｗｒｅｆを生成する。交流制御部３５の詳細な動作については、後述する。
【００５５】
直流制御部３６は、直流電圧指令値Ｖｄｃｒｅｆを生成する。直流制御部３６の構成は、交流回路から直流回路に電力を供給する整流器として電力変換装置が動作する場合と、インバータとして電力変換装置が動作する場合とで異なる。電力変換装置が整流器として動作する場合、直流制御部３６は、直流電圧実測値Ｖｄｃｐ，Ｖｄｃｎに基づいて直流電圧指令値Ｖｄｃｒｅｆを生成する。一方、電力変換装置がインバータとして動作する場合、直流制御部３６は、交流電圧実測値Ｖａｃｕ，Ｖａｃｖ，Ｖａｃｗ、交流電流検出器１５で検出された各相の交流電流実測値、および、電流演算器２１で演算された直流電流値Ｉｄｃに基づいて直流電圧指令値Ｖｄｃｒｅｆを生成する。直流制御部３６の詳細な動作については、後述する。
【００５６】
（電流演算器の動作）
電流演算器２１は、アーム電流実測値に基づいて、直流電流値Ｉｄｃ、交流電流値Ｉａｃｕ，Ｉａｃｖ，Ｉａｃｗ、および循環電流値Ｉｃｃｕ，Ｉｃｃｖ，Ｉｃｃｗを計算する。具体的には以下の手順による。
【００５７】
図１に示すように、レグ回路８ｕの正側アーム１３ｕと負側アーム１４ｕとの接続点である交流端子Ｎｕは、変圧器３に接続されている。したがって、交流端子Ｎｕから変圧器３に向かって流れる交流電流値Ｉａｃｕは、以下の式（１）のように正側アーム電流実測値Ｉｕｐから負側アーム電流実測値Ｉｕｎを減算した電流値となる。
【００５８】
Ｉａｃｕ＝Ｉｕｐ−Ｉｕｎ  …（１）
正側アーム電流実測値Ｉｕｐと負側アーム電流実測値Ｉｕｎとの平均値を、正側アーム１３ｕおよび負側アーム１４ｕに流れる共通の電流とすると、この電流はレグ回路８ｕの直流端子を流れるレグ電流Ｉｃｏｍｕである。レグ電流Ｉｃｏｍｕは、式（２）のように表される。
【００５９】
Ｉｃｏｍｕ＝（Ｉｕｐ＋Ｉｕｎ）／２  …（２）
ｖ相についても、正側アーム電流実測値Ｉｖｐおよび負側アーム電流実測値Ｉｖｎを用いて、交流電流値Ｉａｃｖおよびレグ電流Ｉｃｏｍｖが算出され、ｗ相についても、正側アーム電流実測値Ｉｗｐおよび負側アーム電流実測値Ｉｗｎを用いて、交流電流値Ｉａｃｗおよびレグ電流Ｉｃｏｍｗが算出される。具体的には、以下の式（３）〜（６）で表される。
【００６０】
Ｉａｃｖ＝Ｉｖｐ−Ｉｖｎ  …（３）
Ｉｃｏｍｖ＝（Ｉｖｐ＋Ｉｖｎ）／２  …（４）
Ｉａｃｗ＝Ｉｗｐ−Ｉｗｎ  …（５）
Ｉｃｏｍｗ＝（Ｉｗｐ＋Ｉｗｎ）／２  …（６）
各相のレグ回路８ｕ，８ｖ，８ｗの正側の直流端子は正側直流端子Ｎｐとして共通に接続され、負側の直流端子は負側直流端子Ｎｎとして共通に接続されている。この構成から、各相のレグ電流Ｉｃｏｍｕ，Ｉｃｏｍｖ，Ｉｃｏｍｗを加算した電流値は、直流回路４の正側端子から流れ込み、負側端子を介して直流回路４に帰還する直流電流値Ｉｄｃとなる。したがって、直流電流値Ｉｄｃは、式（７）のように表される。
【００６１】
Ｉｄｃ＝Ｉｃｏｍｕ＋Ｉｃｏｍｖ＋Ｉｃｏｍｗ  …（７）
レグ電流に含まれる直流電流成分は、各相で均等に分担するとセルの電流容量を均等にすることができる。このことを考慮すると、レグ電流と直流電流値の１／３との差分が、直流回路４に流れないが各相のレグ間に流れる循環電流の電流値として演算できる。具体的には、ｕ相、ｖ相、ｗ相の循環電流値Ｉｃｃｕ，Ｉｃｃｖ，Ｉｃｃｗは、それぞれ以下の式（８），（９），（１０）のように表される。
【００６２】
Ｉｃｃｕ＝Ｉｃｏｍｕ−Ｉｄｃ／３  …（８）
Ｉｃｃｖ＝Ｉｃｏｍｖ−Ｉｄｃ／３  …（９）
Ｉｃｃｗ＝Ｉｃｏｍｗ−Ｉｄｃ／３  …（１０）
（平均値演算器の動作）
平均値演算器２２は、各変換器セル１において検出された個々のキャパシタ電圧実測値Ｖｃｉから、種々のキャパシタ電圧平均値Ｖｃｉａｖを計算する。
【００６３】
具体的には、平均値演算器２２は、電力変換器６全体に含まれる全キャパシタの電圧平均値である全キャパシタ電圧平均値Ｖｃａｌｌを計算する。また、平均値演算器２２は、正側アーム１３ｕに含まれる各キャパシタの電圧平均値である正側キャパシタ電圧平均値Ｖｃｕｐと、負側アーム１４ｕに含まれる各キャパシタの電圧平均値である負側キャパシタ電圧平均値Ｖｃｕｎと、レグ回路８ｕ全体に含まれる全キャパシタの電圧平均値であるキャパシタ電圧平均値Ｖｃｕとを計算する。
【００６４】
平均値演算器２２は、正側アーム１３ｖにおける正側キャパシタ電圧平均値Ｖｃｖｐと、負側アーム１４ｖにおける負側キャパシタ電圧平均値Ｖｃｖｎと、レグ回路８ｖ全体におけるキャパシタ電圧平均値Ｖｃｖとを計算する。
【００６５】
平均値演算器２２は、正側アーム１３ｗにおける正側キャパシタ電圧平均値Ｖｃｗｐと、負側アーム１４ｗにおける負側キャパシタ電圧平均値Ｖｃｗｎと、レグ回路８ｗ全体におけるキャパシタ電圧平均値Ｖｃｗとを計算する。本明細書において、キャパシタ電圧平均値Ｖｃｉａｖは、上記の種々の平均値の総称として用いられる。
【００６６】
（交流制御部の詳細な動作）
図７は、アーム共通制御器２０における交流制御部３５の動作を説明するための図である。図７を参照して、交流制御部３５は、演算器２３、無効電力制御器２５、無効電流制御器２７、直流キャパシタ電圧制御器２９、および有効電流制御器３１を含む。交流制御部３５は、さらに、減算器２４，２６，２８，３０と、２相／３相変換器３２とを含む。
【００６７】
演算器２３は、各相の交流電圧実測値Ｖａｃｕ，Ｖａｃｖ，Ｖａｃｗと、交流電流検出器１５で検出された交流回路２の各相の交流電流実測値と、電流演算器２１で算出された交流電流値Ｉａｃｕ，Ｉａｃｖ，Ｉａｃｗとを受け取る。演算器２３は、各相の交流電圧実測値Ｖａｃｕ，Ｖａｃｖ，Ｖａｃｗと各相の交流電流実測値とに基づいて、無効電力値Ｐｒを計算する。さらに、演算器２３は、各相の交流電圧実測値Ｖａｃｕ，Ｖａｃｖ，Ｖａｃｗと、算出された交流電流値Ｉａｃｕ，Ｉａｃｖ，Ｉａｃｗとに基づいて、有効電流値Ｉａおよび無効電流値Ｉｒを計算する。
【００６８】
減算器２４は、与えられた無効電力指令値Ｐｒｒｅｆと、演算器２３で算出された無効電力値Ｐｒとの偏差ΔＰｒを計算する。無効電力指令値Ｐｒｒｅｆは固定値であってもよいし、何らかの演算によって得られる変動値であってもよい。
【００６９】
無効電力制御器２５は、減算器２４によって算出された偏差ΔＰｒが０となるように電力変換器６から出力される無効電流を制御するための無効電流指令値Ｉｒｒｅｆを生成する。無効電力制御器２５は、偏差ΔＰｒに対して比例演算および積分演算を行なうＰＩ制御器として構成されていてもよいし、さらに微分演算を行なうＰＩＤ制御器として構成されていてもよい。もしくは、無効電力制御器２５として、フィードバック制御に用いられる他の制御器の構成を用いてもよい。この結果、無効電力値Ｐｒが無効電力指令値Ｐｒｒｅｆに等しくなるようにフィードバック制御される。
【００７０】
減算器２６は、無効電流指令値Ｉｒｒｅｆと、演算器２３で算出された無効電流値Ｉｒとの偏差ΔＩｒを計算する。
【００７１】
無効電流制御器２７は、減算器２６によって算出された偏差ΔＩｒが０となるように電力変換器６から出力される無効電圧を制御するための無効電圧指令値Ｖｒｒｅｆを生成する。無効電流制御器２７は、ＰＩ制御器、ＰＩＤ制御器、またはフィードバック制御に用いられる他の制御器として構成され得る。この結果、無効電流値Ｉｒが無効電流指令値Ｉｒｒｅｆに等しくなるようにフィードバック制御される。
【００７２】
減算器２８は、全キャパシタ電圧平均値について与えられた指令値Ｖｃａｌｌｒｅｆと、全キャパシタ電圧平均値Ｖｃａｌｌとの偏差ΔＶｃａｌｌを計算する。上述したように、全キャパシタ電圧平均値Ｖｃａｌｌは、個々のセルのキャパシタ電圧実測値Ｖｃｉを電力変換装置全体で平均化したものである。指令値Ｖｃａｌｌｒｅｆは固定値であってもよいし、何らかの演算によって得られる変動値であってもよい。
【００７３】
直流キャパシタ電圧制御器２９は、減算器２８によって算出された偏差ΔＶｃａｌｌが０となるように電力変換器６から出力される有効電流を制御するための有効電流指令値Ｉａｒｅｆを生成する。直流キャパシタ電圧制御器２９は、ＰＩ制御器、ＰＩＤ制御器、またはフィードバック制御に用いられる他の制御器として構成され得る。この結果、全キャパシタ電圧平均値Ｖｃａｌｌが指令値Ｖｃａｌｌｒｅｆに等しくなるようにフィードバック制御される。
【００７４】
減算器３０は、有効電流指令値Ｉａｒｅｆと、演算器２３で算出された有効電流値Ｉａとの偏差ΔＩａを計算する。
【００７５】
有効電流制御器３１は、減算器３０によって算出された偏差ΔＩａが０となるように電力変換器６から出力される有効電圧を制御するための有効電圧指令値Ｖａｒｅｆを生成する。有効電流制御器３１は、ＰＩ制御器、ＰＩＤ制御器、またはフィードバック制御に用いられる他の制御器として構成され得る。この結果、有効電流値Ｉａが有効電流指令値Ｉａｒｅｆに等しくなるようにフィードバック制御される。
【００７６】
２相／３相変換器３２は、有効電圧指令値Ｖａｒｅｆおよび無効電圧指令値Ｖｒｒｅｆから座標変換によって、ｕ相の交流電圧指令値Ｖａｃｕｒｅｆ、ｖ相の交流電圧指令値Ｖａｃｖｒｅｆ、およびｗ相の交流電圧指令値Ｖａｃｗｒｅｆを生成する。２相／３相変換器３２による座標変換は、例えば、逆パーク（Park）変換と逆クラーク（Clarke）変換とによって実現することができる。もしくは、２相／３相変換器３２による座標変換は、逆パーク変換と空間ベクトル変換とによって実現することもできる。
【００７７】
なお、図７では、交流制御部３５が、無効電力制御器２５を含む構成について説明した。無効電力制御器２５に代えて、系統電圧指令値と系統電圧実測値との偏差に対して演算を施す系統電圧制御器を設けてもよい。この結果、系統電圧実測値が系統電圧指令値に等しくなるようにフィードバック制御される。
【００７８】
（直流制御部の詳細な動作）
図８は、アーム共通制御器２０における直流制御部３６の動作を説明するための図である。図８（ａ）は、交流回路２から直流回路４に電力を供給する整流器として電力変換装置１００が動作する場合における機能ブロック図を示す。図８（ｂ）は、直流回路４から交流回路２に有効電力を供給するインバータとして電力変換装置１００が動作する場合における機能ブロック図を示す。直流送電線路の一端に設けられた電力変換装置１００は、図８（ａ）の構成の直流制御部３６を含み、直流送電線路の他端に設けられた電力変換装置１００は、図８（ｂ）の構成の直流制御部３６を含む。
【００７９】
図８（ａ）を参照して、整流器用の直流制御部３６は、減算器８０と、直流制御器８１とを含む。減算器８０は、与えられた直流端子電圧指令値と直流端子電圧値Ｖｄｃ（＝Ｖｄｃｐ−Ｖｄｃｎ）との偏差ΔＶｄｃを計算する。直流端子電圧値Ｖｄｃは、直流電圧検出器１１ａ，１１ｂによって検出された直流電圧実測値Ｖｄｃｐ，Ｖｄｃｎから求められる送電端電圧である。直流制御器８１は、偏差ΔＶｄｃが０になるように電力変換器６から出力される直流電圧を制御するための直流電圧指令値Ｖｄｃｒｅｆを生成する。例えば、直流制御器８１は、ＰＩ制御器、ＰＩＤ制御器、またはフィードバック制御に用いられる他の制御器として構成され得る。この結果、直流端子電圧値Ｖｄｃが直流端子電圧指令値に等しくなるようにフィードバック制御される。
【００８０】
図８（ｂ）を参照して、インバータ用の直流制御部３６は、演算器８２と、減算器８３，８５と、有効電力制御器８４と、直流電流制御器８６とを含む。
【００８１】
演算器８２は、各相の交流電圧実測値Ｖａｃｕ，Ｖａｃｖ，Ｖａｃｗと、交流電流検出器１５で検出された交流回路２の各相の交流電流実測値とを受け取る。演算器８２は、これらの電圧値および電流値に基づいて、有効電力値Ｐａを計算する。減算器８３は、与えられた有効電力指令値Ｐａｒｅｆと、算出された有効電力値Ｐａとの偏差ΔＰａを計算する。有効電力指令値Ｐａｒｅｆは固定値であってもよいし、何らかの演算によって得られる変動値であってもよい。
【００８２】
有効電力制御器８４は、減算器８３によって算出された偏差ΔＰａが０になるように電力変換器６から出力される直流電流を制御するための直流電流指令値Ｉｄｃｒｅｆを生成する。有効電力制御器８４は、例えば、ＰＩ制御器、ＰＩＤ制御器、またはフィードバック制御に用いられる他の制御器として構成され得る。この結果、有効電力値Ｐａが有効電力指令値Ｐａｒｅｆに等しくなるようにフィードバック制御される。
【００８３】
減算器８５は、直流電流指令値Ｉｄｃｒｅｆと直流電流値Ｉｄｃとの偏差ΔＩｄｃを計算する。上述したように、直流電流値Ｉｄｃは、各アーム電流実測値を用いて電流演算器２１によって計算される。
【００８４】
直流電流制御器８６は、減算器８５によって算出された偏差ΔＩｄｃが０になるように電力変換器６から出力される直流電圧を制御するための直流電圧指令値Ｖｄｃｒｅｆを生成する。直流電流制御器８６は、例えば、ＰＩ制御器、ＰＩＤ制御器、またはフィードバック制御に用いられる他の制御器として構成され得る。この結果、直流電流値Ｉｄｃが直流電流指令値Ｉｄｃｒｅｆに等しくなるようにフィードバック制御される。
【００８５】
＜各相のアーム制御器の動作＞
各相のアーム制御器４０ｕ，４０ｖ，４０ｗの動作について説明する。以下では、ｕ相アーム制御器４０ｕの動作について代表的に説明する。ｖ相アーム制御器４０ｖおよびｗ相アーム制御器４０ｗの動作は、以下の説明のｕ相をｖ相およびｗ相にそれぞれ読み替えたものと同じである。
【００８６】
図９は、ｕ相アーム制御器４０ｕの動作を示すブロック図である。図９を参照して、ｕ相アーム制御器４０ｕは、正側指令生成器４１と、負側指令生成器４２と、相間バランス制御器４３と、正負バランス制御器４４と、循環電流制御器５１とを含む。ｕ相アーム制御器４０ｕは、さらに、加算器４５，４６，４７と、減算器４８，４９，５０とを含む。
【００８７】
加算器４５は、直流電圧指令値Ｖｄｃｒｅｆと、正側指令生成器４１によって交流電圧指令値Ｖａｃｕｒｅｆを−１倍した値とを加算する。これによって、ｕ相の正側アーム電圧指令値Ｖｕｐｒｅｆが生成される。
【００８８】
加算器４６は、直流電圧指令値Ｖｄｃｒｅｆと、負側指令生成器４２によって交流電圧指令値Ｖａｃｕｒｅｆを＋１倍した値とを加算する。これによって、ｕ相の負側アーム電圧指令値Ｖｕｎｒｅｆが生成される。
【００８９】
減算器４８は、全キャパシタ電圧平均値Ｖｃａｌｌとｕ相のキャパシタ電圧平均値Ｖｃｕとの偏差ΔＶｃｕを計算する。偏差ΔＶｃｕは、異なる相の間での各キャパシタの電圧ばらつき（すなわち、キャパシタ電圧ばらつき）を意味している。
【００９０】
相間バランス制御器４３は、減算器４８によって算出された偏差ΔＶｃｕに対して演算を施す。相間バランス制御器４３は、例えば、ＰＩ制御器、ＰＩＤ制御器、またはフィードバック制御に用いられる他の制御器として構成され得る。この結果、キャパシタ電圧平均値Ｖｃｕが全キャパシタ電圧平均値Ｖｃａｌｌに等しくなるようにフィードバック制御される。
【００９１】
減算器４９は、ｕ相の正側キャパシタ電圧平均値Ｖｃｕｐとｕ相の負側キャパシタ電圧平均値Ｖｃｕｎとの偏差ΔＶｃｕｐｎを計算する。偏差ΔＶｃｕｐｎは、正側アーム１３ｕと負側アーム１４ｕとの間での各キャパシタの電圧ばらつきを意味している。
【００９２】
正負バランス制御器４４は、減算器４９によって算出された偏差ΔＶｃｕｐｎに対して演算を施す。正負バランス制御器４４は、例えば、ＰＩ制御器、ＰＩＤ制御器、またはフィードバック制御に用いられる他の制御器として構成され得る。この結果、負側キャパシタ電圧平均値Ｖｃｕｎが正側キャパシタ電圧平均値Ｖｃｕｐに等しくなるようにフィードバック制御される。
【００９３】
加算器４７は、相間バランス制御器４３による演算結果と正負バランス制御器４４による演算結果とを加算することによって、ｕ相の循環電流指令値Ｉｃｃｕｒｅｆを生成する。
【００９４】
減算器５０は、循環電流指令値Ｉｃｃｕｒｅｆと循環電流値Ｉｃｃｕとの偏差を計算する。循環電流制御器５１は、減算器５０よって算出された偏差に対して演算を施すことにより、ｕ相の循環電圧指令値Ｖｃｃｕｒｅｆを生成する。循環電流制御器５１は、例えば、ＰＩ制御器、ＰＩＤ制御器、またはフィードバック制御に用いられる他の制御器として構成され得る。
【００９５】
通信装置５２は、正側アーム１３ｕを構成する各変換器セル１のセル個別制御器６１に対して、正側アーム電圧指令値Ｖｕｐｒｅｆ、循環電圧指令値Ｖｃｃｕｒｅｆ、および正側キャパシタ電圧平均値Ｖｃｕｐを送信する。通信装置５２は、さらに、負側アーム１４ｕを構成する各変換器セル１のセル個別制御器６１に対して、負側アーム電圧指令値Ｖｕｎｒｅｆ、循環電圧指令値Ｖｃｃｕｒｅｆ、および負側キャパシタ電圧平均値Ｖｃｕｎを送信する。
【００９６】
上記において、正側アーム電圧指令値Ｖｕｐｒｅｆおよび負側アーム電圧指令値Ｖｕｎｒｅｆの計算と、循環電圧指令値Ｖｃｃｕｒｅｆの計算とは互いに独立している。したがって、循環電圧指令値Ｖｃｃｕｒｅｆの計算周期は、正側アーム電圧指令値Ｖｕｐｒｅｆおよび負側アーム電圧指令値Ｖｕｎｒｅｆの計算周期よりも短くすることができる。この結果、交流回路２の交流電流および直流回路４の直流電流に比べて変化が速い循環電流の制御性を良くすることができる。
【００９７】
＜セル個別制御器の動作＞
各変換器セル１に設けられたセル個別制御器６１の動作について説明する。以下では、正側アーム１３ｕ用のセル個別制御器６１の動作について代表的に説明する。負側アーム１４ｕ用のセル個別制御器６１の動作は、以下の説明の正側を負側に読み替えたものと同じである。ｖ相およびｗ相用のセル個別制御器６１の動作は、以下の説明のｕ相をｖ相またはｗ相と読み替えたものと同じである。
【００９８】
図１０は、正側アーム１３ｕ用のセル個別制御器６１の動作を示すブロック図である。図１０では、キャパシタ電圧実測値Ｖｃｉをデジタル値に変換するためのＡ／Ｄ変換器の図示が省略されている。さらに、図１０では、セル個別制御器６１と制御装置５との間での通信を行なう通信装置６２の図示が省略されている。
【００９９】
図１０を参照して、セル個別制御器６１は、キャパシタ電圧制御器６４、キャリア発生器６５、コンパレータ６７、減算器６３、および加算器６６を含む。
【０１００】
減算器６３は、キャパシタ電圧指令値としての正側キャパシタ電圧平均値Ｖｃｕｐと、キャパシタ電圧実測値Ｖｃｉとの間の偏差ΔＶｃｕｐを計算する。図９で説明したように、正側キャパシタ電圧平均値Ｖｃｕｐは、対応するｕ相アーム制御器４０ｕから受信される。キャパシタ電圧実測値Ｖｃｉは、対応するセル主回路６０において検出される。
【０１０１】
キャパシタ電圧制御器６４は、減算器６３によって算出された偏差ΔＶｃｕｐに対して演算を施す。キャパシタ電圧制御器６４は、例えば、ＰＩ制御器、ＰＩＤ制御器、またはフィードバック制御に用いられる他の制御器として構成され得る。この結果、キャパシタ電圧実測値Ｖｃｉが正側キャパシタ電圧平均値Ｖｃｕｐに等しくなるようにフィードバック制御される。
【０１０２】
加算器６６は、ｕ相の正側アーム電圧指令値Ｖｕｐｒｅｆとキャパシタ電圧制御器６４の出力とを加算することによって、最終的なｕ相の正側アーム電圧指令値Ｖｕｐｒｅｆ＊を生成する。
【０１０３】
キャリア発生器６５は、位相シフトパルス幅変調（ＰＷＭ：Pulse  Width  Modulation）制御で用いられるキャリア信号ＣＳを生成する。位相シフトＰＷＭ制御とは、正側アーム１３ｕを構成する複数の各変換器セル１に出力されるＰＷＭ信号のタイミングを相互にずらすものである。これによって、各変換器セル１の出力電圧の合成電圧に含まれる高調波成分を削減することができる。例えば、各変換器セル１に設けられたセル個別制御器６１は、制御装置５から受信した共通の基準位相θｉに基づいて、相互に位相のずれたキャリア信号ＣＳを生成する。例えば、キャリア信号ＣＳとして三角波が用いられる。
【０１０４】
さらに、キャリア発生器６５は、生成したキャリア信号ＣＳを、循環電圧指令値Ｖｃｃｕｒｅｆに応じて変調する。そして、キャリア発生器６５は、変調後のキャリア信号を後段のコンパレータ６７に出力する。後段のコンパレータ６７において生成されるＰＷＭ信号（すなわち、ゲート制御信号Ｇａ，Ｇｂ）のパルス幅は、循環電圧指令値Ｖｃｃｕｒｅｆに応じて変化する。この結果、循環電流指令値Ｉｃｃｕｒｅｆと循環電流値Ｉｃｃｕとの偏差がより小さくなるように制御される。
【０１０５】
コンパレータ６７は、正側アーム電圧指令値Ｖｕｐｒｅｆ＊と、循環電圧指令値Ｖｃｃｕｒｅｆに基づく変調後のキャリア信号ＣＳとを比較する。この比較結果に従って、コンパレータ６７は、セル主回路６０を構成するスイッチング素子１ａ，１ｂを制御するためのＰＷＭ変調信号としてのゲート制御信号Ｇａ，Ｇｂを生成する。ゲート制御信号Ｇａ，Ｇｂは、図２のスイッチング素子１ａ，１ｂの制御電極にそれぞれ供給される。この結果、セル主回路６０の出力電圧は、ｕ相の循環電流値Ｉｃｃｕに応じて制御される。
【０１０６】
＜スイッチング周波数の切り替え＞
電力変換器６に対する各種の制御指令値を用いて、各変換器セル１のスイッチング素子のスイッチング周波数を切り替える構成について説明する。
【０１０７】
（概要）
図１１は、実施の形態１に従う周波数切替部２００の動作を説明するための図である。具体的には、図１１（ａ）は、制御装置５に含まれる周波数切替部２００の機能を説明するためのブロック図である。図１１（ｂ）は、周波数切替信号が出力されるタイミングを説明するためのタイミングチャートである。周波数切替部２００の機能は、典型的にＣＰＵ７４によって実現される。
【０１０８】
図１１（ａ）を参照して、周波数切替部２００は、指令値入力部１３１と、判定部１３２とを含む。指令値入力部１３１は、電力変換器６に対する制御指令値の入力を受け付けて、判定部１３２へ出力する。制御指令値は、例えば、出力電力指令値、無効電流指令値、変調率指令値、交流電圧指令値、交流電流指令値である。
【０１０９】
判定部１３２は、閾値Ｔｈ１と制御指令値とに基づいて、各変換器セル１のスイッチング素子のスイッチング周波数を切り替えるための周波数切替信号を出力する。図１１（ｂ）を参照して、波形３００は、制御指令値を示す波形である。時刻ｔ１到達前までの期間では、制御指令値は閾値Ｔｈ１未満である。この場合、判定部１３２は、ローレベルの周波数切替信号（以下、「周波数切替信号Ｌ」とも称する。）を出力する。時刻ｔ１到達後、時刻ｔ２到達前までの期間では、制御指令値は閾値Ｔｈ１以上である。この場合、判定部１３２は、ハイレベルの周波数切替信号（以下、「周波数切替信号Ｈ」とも称する。）を出力する。時刻ｔ２到達後の期間では、制御指令値は閾値Ｔｈ１未満である。この場合、判定部１３２は、周波数切替信号Ｌを出力する。なお、閾値Ｔｈ１は、各種の制御指令値ごとに設定される規定値の総称である。
【０１１０】
判定部１３２から出力された周波数切替信号は、図１０のキャリア発生器６５に入力される。キャリア発生器６５は、制御装置５から周波数切替信号Ｌの入力を受け付けている場合には、キャリア信号ＣＳの周波数（以下、「キャリア周波数」と称する。）を、電力変換器６を通常動作させる際に用いられる周波数Ｆ（例えば、１８０Ｈｚ）に設定する。これにより、各変換器セル１のスイッチング素子１ａ，１ｂは、周波数Ｆに設定されたキャリア周波数（すなわち、スイッチング周波数）に従ってスイッチング動作する。キャリア周波数は、例えば、基本周波数（例えば、５０Ｈｚ，６０Ｈｚ等）の倍数（すなわち、パルス数）で設定される。なお、キャリア周波数は、基本周波数に関係なく規定の周波数（例えば、１８０Ｈｚ）に設定されてもよいし、５０Ｈｚ系統側と比較して６０Ｈｚ系統側が低くなるように設定されてもよい。
【０１１１】
一方、キャリア発生器６５は、制御装置５から周波数切替信号Ｈの入力を受け付けている場合には、キャリア周波数を、周波数Ｆよりも高い周波数ＦＨに設定する。周波数ＦＨは、周波数Ｆの数倍程度である。これにより、各変換器セル１のスイッチング素子１ａ，１ｂは、周波数ＦＨに設定されたキャリア周波数に従って、より高速にスイッチング動作する。
【０１１２】
まとめると、制御装置５は、電力変換器６に対する制御指令値が閾値Ｔｈ１以上になった場合、スイッチング素子１ａ，１ｂのスイッチング周波数を増大させる（例えば、周波数切替信号Ｈを出力することで周波数Ｆを周波数ＦＨに変更する）制御を実行する。そして、スイッチング素子１ａ，１ｂのスイッチング周波数を増大させる制御が実行された後、制御指令値が閾値Ｔｈ１未満となった場合に、制御装置５は、増大させたスイッチング周波数を低下させる（例えば、周波数切替信号Ｌを出力することで周波数ＦＨを周波数Ｆに変更する）制御を実行する。
【０１１３】
以下、各種の制御指令値の大きさに応じて、キャリア周波数（すなわち、スイッチング周波数）を変更する構成について説明する。
【０１１４】
（出力電力指令値）
出力電力指令値は、電力変換器６から出力される無効電力の指令値（すなわち、図７の無効電力指令値Ｐｒｒｅｆ）、有効電力の指令値（すなわち、図８の有効電力指令値Ｐａｒｅｆ）および皮相電力の指令値（以下、「皮相電力指令値」とも称する。）である。なお、皮相電力指令値は、有効電力指令値Ｐａｒｅｆを予め定められた力率で除算した値である。
【０１１５】
一般的に、無効電力、有効電力、皮相電力といった電力変換器６の出力電力が大きい場合には、電力変換器６はより高い周波数で運転することが望ましい。特に、無効電力指令値Ｐｒｒｅｆが増大する状況においては、電力変換器６は出力交流電圧を増大もしくは低下させる必要がある。しかし、出力交流電圧を増大させる場合には電力変換器６自体の出力電圧によって変調率に余裕がなくなり、出力交流電圧を低下させる場合は交流回路２の系統電圧によって変調率に余裕がなくなるため、電力変換器６が不安定となる場合がある。また、無効電力出力を増大することにより、変換器セル１のキャパシタ１ｅのリップル電圧が増大し、電力変換器６が不安定となる場合がある。そのため、制御装置５は、電力変換器６の出力電力指令値が規定の電力指令値（例えば、閾値Ｔｈ１）以上となった場合（すなわち、周波数切替信号Ｈが出力されている場合）には、高いスイッチング周波数（すなわち、周波数ＦＨ）で各変換器セル１のスイッチング素子１ａ，１ｂをスイッチング動作させて、電力変換器６の運転を安定化させる。
【０１１６】
一方、電力変換器６の出力電力指令値が規定の電力指令値未満である場合には、電力変換器６の運転は安定していると推定されるため、スイッチング周波数を高くして電力変換器６の応答性を高くする必要がない。電力変換器６の電力変換効率は、各変換器セル１のスイッチング素子１ａ，１ｂ等のスイッチング損失に依存し、スイッチング損失は、スイッチング周波数が高いほど大きくなる。そのため、制御装置５は、出力指令値が規定の電力指令値未満である場合（すなわち、周波数切替信号Ｌが出力されている場合）には、低いスイッチング周波数（すなわち、周波数Ｆ）で各変換器セル１のスイッチング素子１ａ，１ｂをスイッチング動作させて、スイッチング損失を低減する。
【０１１７】
（無効電流指令値）
上記の出力電力指令値と同様に、図７の無効電流指令値Ｉｒｒｅｆが大きい場合にも、電力変換器６は出力交流電圧を増大もしくは低下させる必要があり、電力変換器６が不安定となる場合がある。そのため、制御装置５は、無効電流指令値Ｉｒｒｅｆが規定の電流指令値（例えば、閾値Ｔｈ１）以上となった場合（すなわち、周波数切替信号Ｈが出力されている場合）には、高いスイッチング周波数で各変換器セル１のスイッチング素子１ａ，１ｂをスイッチング動作させて、電力変換器６の運転を安定化させる。一方、制御装置５は、無効電流指令値Ｉｒｒｅｆが規定の電流指令値未満である場合（すなわち、周波数切替信号Ｌが出力されている場合）には、低いスイッチング周波数で各変換器セル１のスイッチング素子１ａ，１ｂをスイッチング動作させて、スイッチング損失を低減する。
【０１１８】
（変調率指令値）
制御装置５は、ＰＷＭ変調制御によりスイッチング素子１ａ，１ｂをスイッチング動作させる。ＰＷＭ変調制御での変調率指令値は、図１０のコンパレータ６７におけるキャリア比較に用いられるアーム電圧指令値（例えば、ｕ相正側アーム電圧指令値Ｖｕｐｒｅｆ）の振幅と、キャリア信号ＣＳの振幅とから求められる。典型的には、変調率指令値は、キャリア信号ＣＳのピーク値に対する、アーム電圧指令値のピーク値の比率である。変調率指令値が大きくなると、直流電圧に余裕がなくなり、電力変換器６の動作が不安定となる。
【０１１９】
そのため、制御装置５は、変調率指令値が規定の指令値（例えば、閾値Ｔｈ１）以上となった場合（すなわち、周波数切替信号Ｈが出力されている場合）には、高いスイッチング周波数で各変換器セル１のスイッチング素子１ａ，１ｂをスイッチング動作させて、電力変換器６の運転を安定化させる。一方、制御装置５は、変調率指令値が規定の指令値未満である場合（すなわち、周波数切替信号Ｌが出力されている場合）には、低いスイッチング周波数で各変換器セル１のスイッチング素子１ａ，１ｂをスイッチング動作させて、スイッチング損失を低減する。
【０１２０】
（交流電圧指令値、交流電流指令値）
電力変換器６の動作が不安定になると、図６の交流制御部３５により生成される交流電圧指令値（例えば、ｕ相の交流電圧指令値Ｖａｃｕｒｅｆ等）も不安定になる。以下では、交流電圧指令値の場合について代表的に記載する。なお、制御装置５に含まれる交流電流制御部（不図示）により生成される交流電流指令値については、以下の説明の交流電圧指令値を交流電流指令値に読み替え、規定の電圧指令値を規定の電流指令値に読み替えたものと同じである。
【０１２１】
具体的には、電力変換器６の動作が不安定になると、交流電圧指令値が振動または発散して、当該交流電圧指令値が規定の電圧指令値（例えば、閾値Ｔｈ１）以上となる。そのため、制御装置５は、交流電圧指令値が規定の電圧指令値以上となった場合（すなわち、周波数切替信号Ｈが出力されている場合）には、高いスイッチング周波数で各変換器セル１のスイッチング素子１ａ，１ｂをスイッチング動作させて、電力変換器６の運転を安定化させる。一方、制御装置５は、交流電圧指令値が規定の電圧指令値未満（すなわち、周波数切替信号Ｌが出力されている場合）である場合には、低いスイッチング周波数で各変換器セル１のスイッチング素子１ａ，１ｂをスイッチング動作させて、スイッチング損失を低減する。なお、制御装置５は、バンドパスフィルタ等を用いて交流電圧指令値の小さな周期的振動を検出した場合に、高いスイッチング周波数で各変換器セル１のスイッチング素子１ａ，１ｂをスイッチング動作させてもよい。
【０１２２】
（変形例１）
図１１の例では、制御指令値が閾値Ｔｈ１付近で振動する場合に、チャタリングが発生する可能性がある。そこで、変形例１では、図１１の判定部１３２に不感帯機能を追加した構成について説明する。
【０１２３】
図１２は、実施の形態１の変形例１に従う周波数切替部２００Ａの動作を説明するための図である。具体的には、図１２（ａ）は、周波数切替部２００Ａの機能を説明するためのブロック図である。図１２（ｂ）は、周波数切替信号が出力されるタイミングを説明するためのタイミングチャートである。
【０１２４】
図１２（ａ）を参照して、周波数切替部２００Ａは、指令値入力部１３１と、判定部１４１とを含む。周波数切替部２００Ａは、周波数切替部２００の判定部１３２を、不感帯機能付きの判定部１４１に置き換えたものに相当する。
【０１２５】
判定部１４１は、閾値Ｔｈ１と、閾値Ｔｈ２（ただし、Ｔｈ２＜Ｔｈ１）と、制御指令値とに基づいて、各変換器セル１のスイッチング素子のスイッチング周波数を切り替えるための周波数切替信号を出力する。なお、閾値Ｔｈ１から閾値Ｔｈ２までの幅ｄが不感帯に相当する。
【０１２６】
図１２（ｂ）を参照して、波形３１０は、制御指令値を示す波形である。時刻ｔ１ａ到達前までの期間では、制御指令値は閾値Ｔｈ１未満である。この期間において、判定部１４１は、周波数切替信号Ｌを出力する。時刻ｔ１ａ到達後から時刻ｔ２ａ到達前までの期間では、制御指令値は閾値Ｔｈ１以上である。時刻ｔ２ａ到達後から時刻ｔ３ａ到達前までの期間では、制御指令値は閾値Ｔｈ１未満かつ閾値Ｔｈ２以上である。時刻ｔ３ａ到達後から時刻ｔ４ａ到達前までの期間では、制御指令値は閾値Ｔｈ１以上である。ここで、時刻ｔ１ａ到達後から時刻ｔ４ａ到達前までの期間において、判定部１４１は、周波数切替信号Ｈを出力する。時刻ｔ４ａ到達後の期間では、制御指令値は閾値Ｔｈ２未満である。この期間において、判定部１４１は、周波数切替信号Ｌを出力する。
【０１２７】
このように、制御指令値が閾値Ｔｈ１以上となり周波数切替信号Ｈが出力された場合には、制御指令値が閾値Ｔｈ２以上である限り、判定部１４１は、周波数切替信号Ｈの出力を維持する。そのため、スイッチング素子１ａ，１ｂのスイッチング周波数は変化しない。そして、制御指令値が閾値Ｔｈ２未満になると、判定部１４１は、周波数切替信号Ｌを出力する。
【０１２８】
したがって、図１２の場合、時刻ｔ１ａ到達前までの期間ではスイッチング周波数は周波数Ｆであり、時刻ｔ１ａ到達後から時刻ｔ４ａ到達前までの期間では、スイッチング周波数は周波数ＦＨであり、時刻ｔ４ａ到達後の期間では、スイッチング周波数は周波数Ｆとなる。
【０１２９】
まとめると、制御指令値が閾値Ｔｈ１以上となった場合、制御装置５は、スイッチング素子１ａ，１ｂのスイッチング周波数を増大させる（例えば、周波数Ｆを周波数ＦＨに変更する）制御を実行する。そして、スイッチング素子１ａ，１ｂのスイッチング周波数を増大させる制御が実行された後、制御指令値が閾値Ｔｈ１よりも小さい閾値Ｔｈ２未満となった場合に、制御装置５は、増大させたスイッチング周波数を低下させる（例えば、周波数ＦＨを周波数Ｆに変更する）制御を実行する。
【０１３０】
図１２の構成によると、図１１の構成の利点に加えて、スイッチング周波数のチャタリング発生を防止することができる。
【０１３１】
（変形例２）
変形例２では、チャタリングの発生を防止するための他の構成について説明する。
【０１３２】
図１３は、実施の形態１の変形例２に従う周波数切替部２００Ｂの動作を説明するための図である。具体的には、図１３（ａ）は、周波数切替部２００Ｂの機能を説明するためのブロック図である。図１３（ｂ）は、周波数切替信号が出力されるタイミングを説明するためのタイミングチャートの一例である。図１３（ｃ）は、周波数切替信号が出力されるタイミングを説明するためのタイミングチャートの他の例である。
【０１３３】
図１３（ａ）を参照して、周波数切替部２００Ｂは、指令値入力部１３１と、判定部１５１とを含む。周波数切替部２００Ｂは、周波数切替部２００の判定部１３２を、タイマー機能付きの判定部１５１に置き換えたものに相当する。
【０１３４】
判定部１５１は、閾値Ｔｈ１と、制御指令値とに基づいて、各変換器セル１のスイッチング素子のスイッチング周波数を切り替えるための周波数切替信号を出力する。
【０１３５】
図１３（ｂ）を参照して、波形３２０は、制御指令値を示す波形である。時刻ｔ１ｂ到達前までの期間では、制御指令値は閾値Ｔｈ１未満である。この期間において、判定部１５１は、周波数切替信号Ｌを出力する。時刻ｔ１ｂ到達後から時刻ｔ２ｂ到達前までの期間では、制御指令値は閾値Ｔｈ１以上である。
【０１３６】
判定部１５１は、周波数切替信号Ｈを出力してからタイマー時間Ｔが経過するまでの期間（図１３の例では、時刻ｔ１ｂから時刻ｔ４ｂまでの時間）において、周波数切替信号Ｈの出力を維持する。そのため、時刻ｔ２ｂ到達後から時刻ｔ３ｂ到達前までの期間では制御指令値は閾値Ｔｈ１未満となっているが、判定部１５１は周波数切替信号Ｈの出力を維持する。そして、タイマー時間Ｔが経過する前の時刻ｔ３ｂ到達後から時刻ｔ５ｂ到達前までの期間において、制御指令値は閾値Ｔｈ１以上となっている。そのため、判定部１５１は、時刻ｔ３ｂ到達後から時刻ｔ５ｂ到達前までの期間においても、周波数切替信号Ｈの出力を継続する。結果として、時刻ｔ１ｂ到達後から時刻ｔ５ｂ到達前までの期間において、判定部１５１は、周波数切替信号Ｈを出力する。
【０１３７】
そして、タイマー時間Ｔが経過した後の時刻ｔ５ｂに到達すると、制御指令値は閾値Ｔｈ１未満となる。そのため、時刻ｔ５ｂ到達後の期間において、判定部１５１は、周波数切替信号Ｌを出力する。
【０１３８】
このように、制御指令値が閾値Ｔｈ１以上となり周波数切替信号Ｈが出力された場合には、タイマー時間Ｔが経過するまでは、制御指令値が閾値Ｔｈ１未満となった場合であっても、判定部１５１は、周波数切替信号Ｈの出力を維持する。そのため、スイッチング素子１ａ，１ｂのスイッチング周波数は変化しない。そして、タイマー時間Ｔが経過した後に制御指令値が閾値Ｔｈ１未満になると、判定部１５１は、周波数切替信号Ｌを出力する。
【０１３９】
図１３（ｂ）の場合、時刻ｔ１ｂ到達前までの期間ではスイッチング周波数は周波数Ｆであり、時刻ｔ１ｂ到達後から時刻ｔ５ｂ到達前までの期間では、スイッチング周波数は周波数ＦＨであり、時刻ｔ５ｂ到達後の期間では、スイッチング周波数は周波数Ｆとなる。
【０１４０】
まとめると、制御指令値が閾値Ｔｈ１以上となってからタイマー時間Ｔが経過するまでは、制御装置５は、スイッチング素子１ａ，１ｂのスイッチング周波数を増大させる（例えば、周波数Ｆを周波数ＦＨに変更する）制御を実行する。閾値Ｔｈ１以上となってからタイマー時間Ｔの経過後に、制御指令値が閾値Ｔｈ１未満となった場合に、制御装置５は、増大させたスイッチング周波数を低下させる（例えば、周波数ＦＨを周波数Ｆに変更する）制御を実行する。
【０１４１】
また、判定部１５１は、図１３（ｃ）のようにタイマー時間Ｔがリセットされる構成であってもよい。具体的には、図１３（ｃ）を参照して、波形３３０は、制御指令値を示す波形である。時刻ｔ１ｃ到達前までの期間では、制御指令値は閾値Ｔｈ１未満である。この期間において、判定部１５１は、周波数切替信号Ｌを出力する。時刻ｔ１ｃ到達後から時刻ｔ２ｃ到達前までの期間では、制御指令値は閾値Ｔｈ１以上である。
【０１４２】
判定部１５１は、周波数切替信号Ｈを出力してからタイマー時間Ｔが経過するまでの期間（図１３（ｃ）の例では、時刻ｔ１ｃから時刻ｔ４ｃまでの時間）において、周波数切替信号Ｈの出力を維持する。そのため、時刻ｔ２ｃ到達後から時刻ｔ３ｃ到達前までの期間では制御指令値は閾値Ｔｈ１未満となっているが、判定部１５１は周波数切替信号Ｈの出力を維持する。
【０１４３】
そして、タイマー時間Ｔが経過する時刻ｔ４ｃよりも前の時刻ｔ３ｃにおいて、制御指令値は閾値Ｔｈ１以上となっている。すなわち、制御指令値は、時刻ｔ２ｃにおいて閾値Ｔｈ１未満になった後、時刻ｔ３ｃにおいて再度閾値Ｔｈ１以上となっている。そのため、前のタイマー時間Ｔがリセットされ、判定部１５１は、時刻ｔ３ｃ到達後からタイマー時間Ｔが経過する前までの期間（図１３（ｃ）の例では、時刻ｔ３ｃから時刻ｔ６ｃまでの期間）において、周波数切替信号Ｈの出力を維持する。このように、時刻ｔ５ｃ以降においては、制御指令値は閾値Ｔｈ１未満であるが、判定部１５１は、時刻ｔ５ｃ到達後から時刻ｔ６ｃ到達前までの期間では、周波数切替信号Ｈの出力を継続する。そして、タイマー時間Ｔが経過する時刻ｔ６ｃにおいては、制御指令値は閾値Ｔｈ１未満であるため、判定部１５１は、周波数切替信号Ｌを出力する。
【０１４４】
図１３（ｃ）の場合、時刻ｔ１ｃ到達前までの期間ではスイッチング周波数は周波数Ｆであり、時刻ｔ１ｃ到達後から時刻ｔ６ｃ到達前までの期間では、スイッチング周波数は周波数ＦＨであり、時刻ｔ６ｃ到達後の期間では、スイッチング周波数は周波数Ｆとなる。
【０１４５】
まとめると、制御指令値が閾値Ｔｈ１以上となってからタイマー時間Ｔが経過するまでは、制御装置５は、スイッチング素子１ａ，１ｂのスイッチング周波数を増大させる（例えば、周波数Ｆを周波数ＦＨに変更する）制御を実行する。また、制御指令値が閾値Ｔｈ１以上になってからタイマー時間Ｔが経過したとき（例えば、時刻ｔ６ｃに到達したとき）に制御指令値が閾値Ｔｈ１未満である場合、制御装置５は、増大させたスイッチング素子のスイッチング周波数を低下させる（例えば、周波数ＦＨを周波数Ｆに変更する）制御を実行する。
【０１４６】
図１３の構成によると、図１１の構成の利点に加えて、スイッチング周波数のチャタリング発生を防止することができる。
【０１４７】
実施の形態２．
上述の実施の形態１では、各種の制御指令値に着目して、スイッチング周波数を増大させる構成について説明した。実施の形態２では、電力変換装置１００において測定または演算される各種のパラメータを用いて、各変換器セル１のスイッチング素子のスイッチング周波数を切り替える構成について説明する。
【０１４８】
（概要）
図１４は、実施の形態２に従う周波数切替部２１０の機能を説明するための図である。図１４を参照して、周波数切替部２１０は、パラメータ入力部１６１と、判定部１６２とを含む。パラメータ入力部１６１は、電圧または電流に関する各種のパラメータの入力を受け付けて、判定部１６２へ出力する。パラメータは、例えば、高周波成分、逆相電流、零相電流、系統電圧の不平衡率、循環電流、キャパシタ電圧平均値等である。なお、高周波成分、逆相電流、零相電流、および系統電圧の不平衡率は、交流回路２の電気量に基づいて算出されるパラメータである。循環電流およびキャパシタ電圧は、電力変換器６内の測定値に基づいて算出されるパラメータである。
【０１４９】
判定部１６２は、基準値Ｓｔと、パラメータとに基づいて、各変換器セル１のスイッチング素子のスイッチング周波数を切り替えるための周波数切替信号を出力する。具体的には、判定部１６２は、パラメータの大きさが基準値Ｓｔ以上の場合には周波数切替信号Ｈをキャリア発生器６５へ出力し、パラメータの大きさが基準値Ｓｔ未満の場合には周波数切替信号Ｌをキャリア発生器６５へ出力する。基準値Ｓｔは、各種のパラメータごとに設定される規定の基準値の総称である。なお、判定部１６２の機能は、判定部１３２の機能と基本的に同様である。また、上述した変形例１および変形例２を判定部１６２に採用する構成であってもよい。
【０１５０】
キャリア発生器６５は、周波数切替信号Ｌの入力を受け付けている場合には、キャリア周波数を周波数Ｆに設定し、周波数切替信号Ｈの入力を受け付けている場合には、キャリア周波数を周波数ＦＨに設定する。
【０１５１】
まとめると、制御装置５は、パラメータの大きさが基準値Ｓｔ以上になった場合に、スイッチング素子１ａ，１ｂのスイッチング周波数を増大させる（例えば、周波数切替信号Ｈを出力することで周波数Ｆを周波数ＦＨに変更する）制御を実行する。そして、スイッチング素子１ａ，１ｂのスイッチング周波数を増大させる制御が実行された後、パラメータの大きさが基準値Ｓｔ未満となった場合に、制御装置５は、増大させたスイッチング周波数を低下させる（例えば、周波数切替信号Ｌを出力することで周波数ＦＨを周波数Ｆに変更する）制御を実行する。
【０１５２】
以下、各種のパラメータの大きさに応じて、キャリア周波数（すなわち、スイッチング周波数）を変更する構成について説明する。
【０１５３】
（高調波成分）
制御装置５は、交流電圧または交流電流に含まれる高調波成分を検出する機能（例えば、高調波検出部）を有する。高調波検出部は、交流電圧検出器１０により検出された交流電圧（例えば、交流電圧実測値Ｖａｃｕ，Ｖａｃｖ，Ｖａｃｗ）を入力とし、交流電圧の周波数に対する基本波成分と、予め定められた次数（例えば、３次）の高調波成分とを算出する。交流電圧の基本波成分および高調波電圧の算出方式については、高速フーリエ変換、離散フーリエ変換などが知られている。なお、高調波検出部は、交流電流検出器１５により検出された交流電流実測値の高調波成分を算出してもよい。高調波検出部は、算出した高調波成分をパラメータ入力部１６１に出力する。
【０１５４】
パラメータ入力部１６１は、パラメータとして、交流回路２の交流電圧または交流電流の高調波成分の入力を受け付け、判定部１６２へ出力する。判定部１６２は、高調波成分の大きさ（例えば、振幅）が規定の基準値（例えば、基準値Ｓｔ）以上である場合、周波数切替信号Ｈを出力する。これにより、制御装置５は、高調波成分が規定の基準値以上となった場合、高いスイッチング周波数でスイッチング素子１ａ，１ｂをスイッチング動作させて高調波成分を低減させ、電力変換器６の運転を安定化させる。
【０１５５】
一方、判定部１６２は、高調波成分の大きさが規定の基準値未満である場合、周波数切替信号Ｌを出力する。これにより、制御装置５は、高調波成分が規定の基準値未満となった場合、低いスイッチング周波数でスイッチング素子１ａ，１ｂをスイッチング動作させてスイッチング損失を低減する。
【０１５６】
（逆相電流）
制御装置５は、交流回路２と電力変換器６との間に流れる逆相電流を算出する機能（例えば、逆相電流算出部）を有する。逆相電流算出部は、交流電流検出器１５により検出された各相の交流電流実測値に基づいて、交流回路２と電力変換器６との間に流れる逆相電流を算出する。逆相電流算出部は、算出した逆相電流をパラメータ入力部１６１に出力する。パラメータ入力部１６１は、パラメータとしての逆相電流の入力を受け付けて、判定部１６２へ出力する。
【０１５７】
交流回路２の交流電圧が不平衡になった場合、交流電流に逆相電流が発生する。逆相電流は、変換器セル１のキャパシタ電圧にリップルを発生させて電力変換器６の動作を不安定にする。そこで、判定部１６２は、逆相電流の大きさ（例えば、振幅）が規定の基準値（例えば、基準値Ｓｔ）以上である場合、周波数切替信号Ｈを出力する。これにより、制御装置５は、規定の基準値以上の逆相電流が検出された場合、高いスイッチング周波数でスイッチング素子１ａ，１ｂをスイッチング動作させて、電力変換器６の運転を安定化させる。
【０１５８】
一方、判定部１６２は、逆相電流の大きさが規定の基準値未満である場合、周波数切替信号Ｌを出力する。これにより、制御装置５は、逆相電流が規定の基準値未満となった場合、低いスイッチング周波数でスイッチング素子１ａ，１ｂをスイッチング動作させてスイッチング損失を低減する。
【０１５９】
（零相電流）
図１の変圧器３は、交流回路２と電力変換器６との間に設けられている。具体的には、変圧器３の一次側には交流回路２が接続され、変圧器３の二次側には電力変換器６が接続されている。例えば、変圧器３は、Ｙ−Ｙ結線の三相変圧器である。変圧器３は、Ｙ結線された一次巻線を有しており、二次巻線の中性点は接地されている。交流回路２において事故が発生した場合には、変圧器３の二次側の中性点には零相電流が流れる。制御装置５は、この零相電流を算出する機能（例えば、零相電流算出部）を有する。零相電流算出部は、交流電流検出器１５により検出された各相の交流電流実測値に基づいて、中性点に流れる零相電流を算出する。零相電流算出部は、算出した零相電流をパラメータ入力部１６１に出力する。パラメータ入力部１６１は、パラメータとして、中性点に流れる零相電流の入力を受け付けて、判定部１６２へ出力する。なお、中性点とグランドとの間に零相電流検出器を設けている場合には、パラメータ入力部１６１は、零相電流検出器により検出された零相電流の入力を受け付けてもよい。
【０１６０】
判定部１６２は、零相電流の大きさ（例えば、振幅）が規定の基準値（例えば、基準値Ｓｔ）以上である場合、周波数切替信号Ｈを出力する。これにより、制御装置５は、規定の基準値以上の零相電流が検出された場合に交流回路２で事故が発生したとみなして、高いスイッチング周波数でスイッチング素子１ａ，１ｂをスイッチング動作させ、電力変換器６の運転を安定化させる。
【０１６１】
一方、判定部１６２は、零相電流の大きさが規定の基準値未満である場合、周波数切替信号Ｌを出力する。これにより、制御装置５は、零相電流が規定の基準値未満となった場合、低いスイッチング周波数でスイッチング素子１ａ，１ｂをスイッチング動作させてスイッチング損失を低減する。
【０１６２】
（系統電圧の不平衡率）
制御装置５は、系統電圧（すなわち、交流回路２の交流電圧）の正相成分および逆相成分に基づく当該系統電圧の不平衡率を算出する機能（例えば、不平衡率算出部）を有する。不平衡率算出部は、交流電圧検出器１０により検出された交流電圧（例えば、交流電圧実測値Ｖａｃｕ，Ｖａｃｖ，Ｖａｃｗ）の入力を受け付け、交流電圧実測値Ｖａｃｕ，Ｖａｃｖ，Ｖａｃｗに基づいて、正相電圧および逆相電圧を算出する。不平衡率算出部は、正相電圧に対する逆相電圧の比率である不平衡率を算出する。不平衡率算出部は、算出した不平衡率をパラメータ入力部１６１に出力する。パラメータ入力部１６１は、パラメータとして、系統電圧の不平衡率の入力を受け付け、判定部１６２へ出力する。
【０１６３】
交流回路２の交流電圧が不平衡になった場合、変換器セル１のキャパシタ電圧にリップルが発生して電力変換器６の動作を不安定にする。そこで、判定部１６２は、不平衡率の大きさが規定の基準値（例えば、基準値Ｓｔ）以上である場合、周波数切替信号Ｈを出力する。これにより、制御装置５は、系統電圧の不平衡率が規定の基準値以上となった場合、高いスイッチング周波数でスイッチング素子１ａ，１ｂをスイッチング動作させて、電力変換器６の運転を安定化させる。
【０１６４】
一方、判定部１６２は、不平衡率が規定の基準値未満である場合、周波数切替信号Ｌを出力する。これにより、制御装置５は、不平衡率が規定の基準値未満となった場合、低いスイッチング周波数でスイッチング素子１ａ，１ｂをスイッチング動作させてスイッチング損失を低減する。
【０１６５】
（循環電流）
図９で説明したように、相間バランス制御器４３および正負バランス制御器４４によるフィードバック制御によって循環電流指令値が生成される。このように、ＭＭＣ変換方式の電力変換器では、変換セル１間のキャパシタ電圧にばらつきが発生した場合、循環電流を用いてキャパシタ電圧のバランス制御が行われる。そのため、循環電流の大きさに基づいてキャパシタ電圧制御の不安定を検出することができる。
【０１６６】
具体的には、パラメータ入力部１６１は、パラメータとして、電流演算器２１で演算された循環電流の入力を受け付け、判定部１６２へ出力する。判定部１６２は、循環電流の大きさ（例えば、振幅）が規定の基準値（例えば、基準値Ｓｔ）以上である場合、周波数切替信号Ｈを出力する。これにより、制御装置５は、循環電流の大きさが規定の基準値以上となった場合にはキャパシタ電圧制御が不安定であるとみなして、高いスイッチング周波数でスイッチング素子１ａ，１ｂをスイッチング動作させて、電力変換器６の運転を安定化させる。
【０１６７】
一方、判定部１６２は、循環電流の大きさが規定の基準値未満である場合、周波数切替信号Ｌを出力する。これにより、制御装置５は、循環電流の大きさが規定の基準値未満となった場合、低いスイッチング周波数でスイッチング素子１ａ，１ｂをスイッチング動作させてスイッチング損失を低減する。
【０１６８】
（キャパシタ電圧）
パラメータ入力部１６１は、パラメータとして、平均値演算器２２で演算されたキャパシタ電圧平均値Ｖｃｉａｖの入力を受け付け、判定部１６２へ出力する。判定部１６２は、キャパシタ電圧平均値Ｖｃｉａｖの変動幅が基準変動幅以上である場合、周波数切替信号Ｈを出力する。一方、判定部１６２は、キャパシタ電圧平均値Ｖｃｉａｖの変動幅が基準変動幅未満である場合、周波数切替信号Ｌを出力する。
【０１６９】
他の局面では、パラメータ入力部１６１は、パラメータとして、各変換器セル１において検出された個々のキャパシタ電圧実測値Ｖｃｉの入力を受け付けて、判定部１６２へ出力してもよい。判定部１６２は、各キャパシタ電圧実測値Ｖｃｉの最大値が閾値範囲の上限値よりも大きい場合または各キャパシタ電圧実測値Ｖｃｉの最小値が閾値範囲の下限値よりも小さい場合（すなわち、各キャパシタ電圧実測値Ｖｃｉの少なくとも１つが閾値範囲外になった場合）、周波数切替信号Ｈを出力する。一方、判定部１６２は、各キャパシタ電圧実測値Ｖｃｉの最大値が上限値以下の場合かつ各キャパシタ電圧実測値Ｖｃｉの最小値が下限値以上の場合（すなわち、各キャパシタ電圧実測値Ｖｃｉのすべてが閾値範囲内である場合）、周波数切替信号Ｌを出力する。
【０１７０】
まとめると、制御装置５は、各キャパシタの電圧平均値の変動幅が基準変動幅以上の場合、または、各キャパシタ電圧の少なくとも１つが閾値範囲外になった場合に、スイッチング素子１ａ，１ｂのスイッチング周波数を増大させる（例えば、周波数Ｆを周波数ＦＨに変更する）制御を実行する。これにより、電力変換器６の運転を安定化させる。そして、スイッチング素子１ａ，１ｂのスイッチング周波数を増大させる制御が実行された後、各キャパシタの電圧平均値の変動幅が基準変動幅未満の場合、かつ、各キャパシタ電圧のすべてが閾値範囲内である場合に、制御装置５は、増大させたスイッチング周波数を低下させる（例えば、周波数ＦＨを周波数Ｆに変更する）制御を実行する。これにより、スイッチング損失を低減する。
【０１７１】
実施の形態３．
実施の形態３では、電力変換装置１００の外部からの情報を用いて、各変換器セル１のスイッチング素子のスイッチング周波数を切り替える構成について説明する。
【０１７２】
（概要）
図１５は、実施の形態３に従う周波数切替部２２０の機能を説明するための図である。図１５を参照して、周波数切替部２２０は、情報受信部１７１と、判定部１７２とを含む。情報受信部１７１は、外部装置（例えば、電力変換装置１００の上位装置等）から各種の外部情報を受信して、判定部１７２へ出力する。例えば、外部情報は、交流回路２の系統状態を示す状態情報、電力変換器６の運転モードを指示するための指示情報である。
【０１７３】
判定部１７２は、外部情報と、予め定められた条件とに基づいて、各変換器セル１のスイッチング素子のスイッチング周波数を切り替えるための周波数切替信号を出力する。判定部１７２は、外部情報が予め定められた条件を満たす場合、周波数切替信号Ｈをキャリア発生器６５へ出力し、外部情報が予め定められた条件を満たさない場合、周波数切替信号Ｌをキャリア発生器６５へ出力する。
【０１７４】
キャリア発生器６５は、周波数切替信号Ｌの入力を受け付けている場合には、キャリア周波数を周波数Ｆに設定し、周波数切替信号Ｈの入力を受け付けている場合には、キャリア周波数を周波数ＦＨに設定する。
【０１７５】
以下、各種の外部情報に応じて、キャリア周波数（すなわち、スイッチング周波数）を変更する構成について説明する。
【０１７６】
（系統状態）
情報受信部１７１は、交流回路２の系統状態を示す状態情報を受信する。例えば、状態情報は、短絡容量、有効電力、回線数、交流回路２に設けられた遮断器の開閉状態、交流回路２に設けられた系統機器（例えば、高調波フィルタ、進相コンデンサ、ＳＶＣ（Static  Var  Compensator）、ＳＴＡＴＣＯＭ（Static  synchronous  compensator）、他の直流送電装置等）の起動状態（例えば、起動または停止を示す情報）等である。情報受信部１７１は、状態情報を判定部１７２に出力する。
【０１７７】
判定部１７２は、状態情報に基づく交流回路２の系統状態が規定の状態であるとの条件を満たすか否かを判定し、当該条件を満たす場合に周波数切替信号Ｈを出力する。一方、判定部１７２は、当該条件を満たさない場合に周波数切替信号Ｌを出力する。
【０１７８】
一例では、判定部１７２は、交流回路２の短絡容量が基準容量未満であるとの条件を満たした場合に周波数切替信号Ｈを出力する。他の例では、判定部１７２は、交流回路２に流れる有効電力が基準電力以上であるとの条件を満たした場合に周波数切替信号Ｈを出力する。他の例では、判定部１７２は、交流回路２の回線数が規定回線数（例えば、１回線）以下であるとの条件を満たした場合に周波数切替信号Ｈを出力する。
【０１７９】
他の例では、判定部１７２は、遮断器情報テーブルを参照して、交流回路２に設けられた規定の遮断器が開放されたとの条件を満たした場合に周波数切替信号Ｈを出力する。遮断器情報テーブルには、交流回路２に設けられた各遮断器のうちどの遮断器が開放された場合に周波数切替信号Ｈを出力すべきなのかを示す情報が含まれている。
【０１８０】
他の例では、判定部１７２は、系統機器情報テーブルを参照して、交流回路２に設けられた規定の系統機器が停止したとの条件を満たした場合に周波数切替信号Ｈを出力する。系統機器情報テーブルには、交流回路２に設けられた各系統機器のうちどの系統機器が停止した場合に周波数切替信号Ｈを出力すべきなのかを示す情報が含まれている。
【０１８１】
これにより、制御装置５は、交流回路２の系統状態が規定の状態であるとの条件を満たした場合、スイッチング素子１ａ，１ｂのスイッチング周波数を増大させる（例えば、周波数Ｆを周波数ＦＨに変更する）制御を実行する。これにより、電力変換器６の運転を安定化させる。一方、スイッチング素子１ａ，１ｂのスイッチング周波数を増大させる制御が実行された後、交流回路２の系統状態が規定の状態であるとの条件を満たしていない場合に、制御装置５は、増大させたスイッチング周波数を低下させる（例えば、周波数ＦＨを周波数Ｆに変更する）制御を実行する。これにより、スイッチング損失を低減する。
【０１８２】
（運転モード）
情報受信部１７１は、電力変換器６の運転モードの指示情報を受信する。情報受信部１７１は、指示情報を判定部１７２に出力する。
【０１８３】
判定部１７２は、指示情報に従う運転モードが規定のモードであるとの条件を満たすか否かを判定し、当該条件を満たす場合に周波数切替信号Ｈを出力する。一方、判定部１７２は、当該条件を満たさない場合に周波数切替信号Ｌを出力する。
【０１８４】
規定のモードは、起動モード、ブラックスタートモード、パッシブ系統モード、ディレーティングモード、潮流反転モードのいずれかである。起動モードは、電力変換器６を起動するためのモードである。ブラックスタートモードは、他の電源から電力を受電することなく電力変換器６自身で交流回路２を停電状態から復旧させるモードである。パッシブ系統モードは、交流回路２に電源が接続されておらず、負荷のみが接続されている状態で電力変換器６を運転させるモードである。ディレーティングモードは、定格値（例えば、定格出力電力）以下で電力変換器６を運転させるモードである。潮流反転モードは、電力変換器６における逆変換器運転と順変換器運転とを反転させるモードである。
【０１８５】
制御装置５は、外部装置からの指示情報を受信して、上記の規定モードへの変更を指示された場合に、スイッチング素子１ａ，１ｂのスイッチング周波数を増大させる（例えば、周波数Ｆを周波数ＦＨに変更する）制御を実行する。これにより、電力変換器６の運転を安定化させる。上記の規定モードへの変更を指示されていない場合、制御装置５は、低いスイッチング周波数でスイッチング素子１ａ，１ｂをスイッチング動作させてスイッチング損失を低減する。
【０１８６】
なお、スイッチング素子１ａ，１ｂのスイッチング周波数を増大させる制御が実行された後、通常動作への復帰（例えば、通常モードへの変更）を指示するための指示情報を受信した場合、制御装置５は、増大させたスイッチング周波数を低下させる（例えば、周波数ＦＨを周波数Ｆに変更する）制御を実行する。このように、制御装置５は、電力変換器６の運転モードに応じて適切なスイッチング周波数を設定することができる。
【０１８７】
（その他）
他の局面では、制御装置５は、交流回路２の系統状態を示す状態情報、および電力変換器６の運転モードを指示するための指示情報のうちの少なくとも一方を受信してもよい。この場合、状態情報に基づく系統状態が規定の状態であるとの条件、および、指示情報に従う運転モードが規定のモードであるとの条件のうちの少なくとも一方を満たす場合に、制御装置５は、スイッチング素子１ａ，１ｂのスイッチング周波数を増大させる制御を実行する。
【０１８８】
その他の実施の形態．
（１）上述した実施の形態では、キャリア発生器６５は、制御装置５から周波数切替信号Ｌの入力を受け付けている場合には、キャリア周波数（すなわち、スイッチング周波数）を周波数Ｆに設定し、制御装置５から周波数切替信号Ｈの入力を受け付けている場合には、スイッチング周波数を周波数ＦＨに設定する構成について説明したが、当該構成に限られない。例えば、キャリア発生器６５は、制御装置５からの周波数切替信号Ｈに従って、スイッチング周波数を段階的に増大する方式であってもよい。
【０１８９】
実施の形態１の場合について説明する。周波数切替部２００は、制御指令値が閾値Ｔｈ１以上である場合に周波数切替信号Ｈを出力するとともに、制御指令値と閾値Ｔｈ１との差分Ｄｘ１も出力する。差分Ｄｘ１は、制御指令値が閾値Ｔｈ１よりもどの程度大きいのかを示す指標である。そのため、キャリア発生器６５は、差分Ｄｘ１が大きいほど、高い周波数を設定する。例えば、周波数Ｆよりも高い３段階の周波数ＦＨ１，ＦＨ２，ＦＨ３（ただし、ＦＨ３＞ＦＨ２＞ＦＨ１）が用意され、差分Ｄｘ１の閾値Ｙ１，Ｙ２，Ｙ３（ただし、Ｙ３＞Ｙ２＞Ｙ１）が用意されているとする。
【０１９０】
例えば、差分Ｄｘ１が閾値Ｙ３以上である場合、キャリア発生器６５は、キャリア周波数を最も高い周波数ＦＨ３に設定する。差分Ｄｘ１が閾値Ｙ３未満かつ閾値Ｙ２以上である場合、キャリア発生器６５は、キャリア周波数を次に高い周波数ＦＨ２に設定する。差分Ｄｘ１が閾値Ｙ１未満である場合、キャリア発生器６５は、キャリア周波数を最も低い周波数ＦＨ１に設定する。このように、制御装置５は、周波数切替信号Ｈおよび差分Ｄｘ１に基づいて、スイッチング素子１ａ，１ｂのスイッチング周波数を増大させる構成であってもよい。
【０１９１】
実施の形態２の場合については実施の形態１と基本的に同様である。周波数切替部２１０は、パラメータの大きさが基準値Ｓｔ以上である場合に周波数切替信号Ｈを出力するとともに、パラメータの大きさと基準値Ｓｔとの差分Ｄｘ２も出力する。差分Ｄｘ２は、パラメータの大きさが基準値Ｓｔよりもどの程度大きいのかを示す指標である。実施の形態１と同様に、キャリア発生器６５は、差分Ｄｘ２が大きいほど高い周波数を設定する。このように、制御装置５は、周波数切替信号Ｈおよび差分Ｄｘ２に基づいて、スイッチング素子１ａ，１ｂのスイッチング周波数を増大させる構成であってもよい。
【０１９２】
実施の形態３の場合について説明する。この場合には、周波数ＦＨ１，ＦＨ２，ＦＨ３に関連付けられた条件情報を示すテーブルが用意されている。周波数切替部２２０は、交流回路２の系統状態が規定の状態であるとの条件を満たす場合に周波数切替信号Ｈを出力するとともに、満たされた条件を示す条件情報を出力する。
【０１９３】
キャリア発生器６５は、テーブルを参照して、受け付けた条件情報に関連付けられた周波数を選択し、当該選択された周波数を設定する。例えば、短絡容量が基準容量未満であるとの条件を示す条件情報が出力されたとする。また、この条件情報には、周波数ＦＨ２が関連付けられていたとする。この場合、キャリア発生器６５は、キャリア周波数を周波数ＦＨ２に設定する。
【０１９４】
また、周波数切替部２２０は、電力変換器６の運転モードが規定のモードであるとの条件を満たす場合に周波数切替信号Ｈを出力するとともに、満たされた条件を示す条件情報を出力する。同様に、キャリア発生器６５は、テーブルを参照して、受け付けた条件情報に関連付けられた周波数を選択し、当該選択された周波数を設定する。例えば、運転モードがブラックスタートモードであるとの条件を示す条件情報が出力され、この条件情報には、周波数ＦＨ３が関連付けられていたとする。この場合、キャリア発生器６５は、キャリア周波数を周波数ＦＨ３に設定する。
【０１９５】
上記のように、制御装置５は、スイッチング素子１ａ，１ｂのスイッチング周波数を段階的に増大させる構成であってもよい。このような構成によると、電力変換器６の動作安定性と電力変換効率とを考慮した適切なスイッチング周波数を設定することができる。
【０１９６】
（２）上記（１）では、スイッチング周波数を段階的に増大させる構成について説明した。ここで、実施の形態１では、交流電圧指令値または交流電流指令値に応じてスイッチング周波数を切り替える構成について説明し、実施の形態２では高調波成分およびキャパシタ電圧に応じてスイッチング周波数を切り替える構成について説明した。これらの構成の場合には、スイッチング周波数を連続的に増大させる構成であってもよい。例えば、周波数切替部２００は、交流電圧指令値が規定の閾値（例えば、閾値Ｔｈ１）以上との条件を満たす場合に周波数切替信号Ｈを出力するとともに、満たされた条件を示す条件情報を出力する。キャリア発生器６５は、制御装置５から周波数切替信号Ｈおよび当該条件情報を受信した場合、スイッチング周波数を連続的に増大させる。高調波成分およびキャパシタ電圧についても同様である。
【０１９７】
（３）上述した実施の形態１では、周波数切替信号Ｈの出力に従ってスイッチング周波数を周波数Ｆから周波数ＦＨに増大させた後、周波数切替信号Ｌの出力に従って周波数ＦＨから周波数Ｆに戻す構成について説明したが、当該構成に限られない。例えば、周波数切替信号Ｌの出力に従って、周波数ＦＨから周波数を低下させる構成であればよく、全く同一の周波数Ｆに戻さなくてもよい。
【０１９８】
（４）上述した実施の形態では、各制御指令値、各パラメータ、および各外部情報のいずれか１つを用いて、スイッチング周波数を変更する構成について説明したが、当該構成に限られない。ここで、各制御指令値、各パラメータ、および各外部情報を指標情報と総称する。この場合、複数の指標情報のそれぞれに対応する複数の周波数切替部を設け、各周波数切替部の出力の組み合わせに基づいて、最終的な周波数切替信号が出力される構成であってもよい。例えば、複数の指標情報の少なくとも１つに対応する周波数切替部が周波数切替信号Ｈを出力した場合に、最終的な周波数切替信号Ｈがキャリア発生器６５に入力されるような構成であってもよい。あるいは、複数の指標情報のうちの第１指標情報（例えば、出力電力指令値）に対応する周波数切替部が周波数切替信号Ｈを出力し、第２指標情報（例えば、逆相電流）に対応する周波数切替部が周波数切替信号Ｈを出力した場合に、最終的な周波数切替信号Ｈがキャリア発生器６５に入力されるような構成であってもよい。
【０１９９】
（５）上述の実施の形態として例示した構成は、本開示の構成の一例であり、別の公知の技術と組み合わせることも可能であるし、本開示の要旨を逸脱しない範囲で、一部を省略する等、変更して構成することも可能である。また、上述した実施の形態において、他の実施の形態で説明した処理および構成を適宜採用して実施する場合であってもよい。
【０２００】
今回開示された実施の形態はすべての点で例示であって制限的なものではないと考えられるべきである。本開示の範囲は、上記した説明ではなく、請求の範囲によって示され、請求の範囲と均等の意味および範囲内でのすべての変更が含まれることが意図される。
【符号の説明】
【０２０１】
１  変換器セル、１ａ，１ｂ，１ｆ，１ｇ  スイッチング素子、１ｃ，１ｄ，１ｈ，１ｉ  ダイオード、１ｅ  キャパシタ、１ｎ，１ｐ  入出力端子、２  交流回路、３  変圧器、４  直流回路、５  制御装置、６  電力変換器、７ａ，７ｂ  リアクトル、８ｕ，８ｖ，８ｗ  レグ回路、９ａ，９ｂ  アーム電流検出器、１０  交流電圧検出器、１１ａ，１１ｂ  直流電圧検出器、１３ｕ，１３ｖ，１３ｗ  正側アーム、１４ｕ，１４ｖ，１４ｗ  負側アーム、１５  交流電流検出器、２０  アーム共通制御器、２１  電流演算器、２２  平均値演算器、２３，８２  演算器、２５  無効電力制御器、２７  無効電流制御器、２９  直流キャパシタ電圧制御器、３１  有効電流制御器、３２  ２相／３相変換器、３５  交流制御部、３６  直流制御部、４０ｕ，４０ｖ，４０ｗ  アーム制御器、４１  正側指令生成器、４２  負側指令生成器、４３  相間バランス制御器、４４  正負バランス制御器、５１  循環電流制御器、５２，６２  通信装置、６０Ｆ，６０Ｈ，６０Ｈｙｂ  セル主回路、６１  セル個別制御器、６４  キャパシタ電圧制御器、６５  キャリア発生器、６７  コンパレータ、７０  入力変換器、７１  サンプルホールド回路、７２  マルチプレクサ、７３  Ａ／Ｄ変換器、７４  ＣＰＵ、７５  ＲＡＭ、７６  ＲＯＭ、７７  入出力インターフェイス、７８  補助記憶装置、７９  バス、８１  直流制御器、８４  有効電力制御器、８６  直流電流制御器、１００  電力変換装置、１３１  指令値入力部、１３２，１４１，１５１，１６２，１７２  判定部、１６１  パラメータ入力部、１７１  情報受信部、２００，２００Ａ，２００Ｂ，２１０，２２０  周波数切替部。
【要約】
電力変換装置（１００）は、交流回路（２）と直流回路（４）との間で電力変換を行なう自励式電力変換器（６）と、自励式電力変換器（６）に含まれるスイッチング素子（１ａ，１ｂ）のスイッチング動作を制御する制御装置（５）とを備える。制御装置（５）は、自励式電力変換器（６）に対する制御指令値が第１閾値以上になった場合に、スイッチング素子（１ａ，１ｂ）のスイッチング周波数を増大させる第１制御を実行する。【図１】
0006937962.tif 000002
【図２】
0006937962.tif 000003
【図３】
0006937962.tif 000004
【図４】
0006937962.tif 000005
【図５】
0006937962.tif 000006
【図６】
0006937962.tif 000007
【図７】
0006937962.tif 000008
【図８】
0006937962.tif 000009
【図９】
0006937962.tif 000010
【図１０】
0006937962.tif 000011
【図１１】
0006937962.tif 000012
【図１２】
0006937962.tif 000013
【図１３】
0006937962.tif 000014
【図１４】
0006937962.tif 000015
【図１５】
0006937962.tif 000016